(57)【要約】  本発明では、適応変調符号化方法および基地局を提供する。方法は、基地局により、第1の端末によって送信されるチャンネル品質指標（CQI）を受信するステップと、基地局により、第1の端末のスケジューリングのためのサブフレームを決定するステップと、基地局により、サブフレームが属するサブフレームセットを決定するステップであって、サブフレームセットは第1のサブフレームセットまたは第2のサブフレームセットであり、第1のサブフレームセットと第2のサブフレームセットとは、異なるCQI調整量に対応する、ステップと、基地局により、サブフレームが属するサブフレームセットに対応するCQI調整量に基づいてCQIを調整するステップと、基地局により、調整されたCQIに基づいて第1の端末のスケジューリングのための変調符号化方式（MCS）を決定するステップとを含む。本発明では、基地局は、第1のサブフレームセットおよび第2のサブフレームセットにそれぞれ対応するCQI調整量を別々に管理する。これは先行技術と比較してより柔軟である。このように、先行技術における1セットのCQI調整量のみを用いることに起因する低干渉サブフレームの高い信号対ノイズ比の浪費が回避され、ネットワークにおける低干渉サブフレームの高い信号対ノイズ比を効率的に用いることができることにより、ネットワークシステムのダウンリンクデータの伝送効率およびスループットが改善される。
2019531650.tif 000002
【特許請求の範囲】
【請求項１】
適応変調符号化方法であって、
基地局により、第1の端末によって送信されるチャンネル品質指標（CQI）を受信するステップと、
前記基地局により、前記第1の端末のスケジューリングのためのサブフレームを決定するステップと、
前記基地局により、前記サブフレームが属するサブフレームセットを決定するステップであって、前記サブフレームセットは第1のサブフレームセットまたは第2のサブフレームセットであり、前記第1のサブフレームセットと前記第2のサブフレームセットとは、異なるCQI調整量に対応する、ステップと、
前記基地局により、前記サブフレームが属する前記サブフレームセットに対応するCQI調整量に基づいて前記CQIを調整するステップと、
前記基地局により、調整されたCQIに基づいて前記第1の端末のスケジューリングのための変調符号化方式（MCS）を決定するステップと
を有する方法。
【請求項２】
前記基地局により、複数のスケジューリングサブフレームを前記第1のサブフレームセットと前記第2のサブフレームセットとに分割するステップ
をさらに有する、請求項1に記載の方法。
【請求項３】
前記基地局により、複数のスケジューリングサブフレームを前記第1のサブフレームセットと前記第2のサブフレームセットとに分割する前記ステップは、
前記基地局により、端末のスケジューリングのための複数の肯定応答（ACK）／否定応答（NACK）情報を取得するステップと、
前記基地局により、複数のスケジューリング済み端末の前記ACK／NACK情報に基づいて前記複数のスケジューリングサブフレームを前記第1のサブフレームセットと前記第2のサブフレームセットとに分割するステップと
を含む、請求項2に記載の方法。
【請求項４】
前記基地局により、複数のスケジューリング済み端末の前記ACK／NACK情報に基づいて前記複数のスケジューリングサブフレームを前記第1のサブフレームセットと前記第2のサブフレームセットとに分割する前記ステップは、
前記基地局により、前記複数のスケジューリング済み端末の前記ACK／NACK情報に基づいて前記複数のスケジューリングサブフレームの各々のブロックエラーレート（Bler）に関する統計値を収集するステップと、
前記基地局により、前記複数のスケジューリングサブフレームの各々の前記Blerに基づいて前記複数のスケジューリングサブフレームを前記第1のサブフレームセットと前記第2のサブフレームセットとに分割するステップと
を含む、請求項3に記載の方法。
【請求項５】
前記基地局により、前記複数のスケジューリングサブフレームの各々の前記Blerに基づいて前記複数のスケジューリングサブフレームを前記第1のサブフレームセットと前記第2のサブフレームセットとに分割する前記ステップは、
調整時期が到来するときに、前記基地局により、前記調整時期前の前記複数のスケジューリングサブフレームの各々のBlerを取得するステップと、
前記基地局により、前記第1のサブフレームセットおよび前記第2のサブフレームセットを取得するために、前記調整時期前の前記複数のスケジューリングサブフレームの各々の前記Blerに基づいて前記調整時期前の第1のサブフレームセットおよび第2のサブフレームセット中のサブフレームを調整するステップと
を含む、請求項4に記載の方法。
【請求項６】
前記調整時期前の前記第1のサブフレームセットは第1のスケジューリングサブフレームを含み、
前記基地局により、前記第1のサブフレームセットおよび前記第2のサブフレームセットを取得するために、前記調整時期前の前記複数のスケジューリングサブフレームの各々の前記Blerに基づいて前記調整時期前の第1のサブフレームセットおよび第2のサブフレームセットを調整する前記ステップは、
前記調整時期が到来するときに、前記基地局により、前記調整時期前の前記第1のサブフレームセットのBlerを取得するステップと、
前記調整時期前の前記第1のサブフレームセットの前記Blerが第1の閾値を超え、かつ前記調整時期前の前記第1のサブフレームセット中の第1のサブフレームのBlerが第2の閾値を超える場合、前記基地局により、前記第1のサブフレームセットおよび前記第2のサブフレームセットを取得するために、前記調整時期に、前記第1のスケジューリングサブフレームを前記調整時期前の前記第1のサブフレームセットから前記調整時期前の前記第2のサブフレームセットに置き換えるステップと
を含む、請求項5に記載の方法。
【請求項７】
前記調整時期前の前記第2のサブフレームセットは第2のスケジューリングサブフレームを含み、
前記基地局により、前記第1のサブフレームセットおよび前記第2のサブフレームセットを取得するために、前記調整時期前の前記複数のスケジューリングサブフレームの各々の前記Blerに基づいて前記調整時期前の第1のサブフレームセットおよび第2のサブフレームセットを調整する前記ステップは、
前記調整時期が到来するときに、前記基地局により、前記調整時期前の前記第2のサブフレームセットのBlerを取得するステップと、
前記調整時期前の前記第2のサブフレームセットの前記Blerが第3の閾値を超え、かつ前記調整時期前の前記第2のサブフレームセット中の第2のサブフレームのBlerが第4の閾値以下である場合、前記基地局により、前記第1のサブフレームセットおよび前記第2のサブフレームセットを取得するために、前記調整時期に、前記第2のスケジューリングサブフレームを前記調整時期前の前記第2のサブフレームセットから前記調整時期前の前記第1のサブフレームセットに置き換えるステップと
を含む、請求項6に記載の方法。
【請求項８】
前記基地局により、前記複数のスケジューリング済み端末の前記ACK／NACK情報に基づいて前記複数のスケジューリングサブフレームの各々のブロックエラーレート（Bler）に関する統計値を収集する前記ステップは、
前記基地局により、前記複数のスケジューリングサブフレームの各々の前記Blerに関する統計値を以下の式
【数１】
2019531650.tif 000011
を用いて収集するステップであって、
Bler（i）は、予め設定された時間内の前記複数のスケジューリングサブフレーム中の第iのサブフレームのBlerを表し、NNACK（i）は、前記第iのサブフレーム中で伝送されるダウンリンクデータに基づいて前記予め設定された時間内に端末によってフィードバックされるNACKの数を表し、NACK（i）は、前記第iのサブフレーム中で伝送される前記ダウンリンクデータに基づいて前記予め設定された時間内に前記端末によってフィードバックされるACKの数を表し、NDTX（i）は、信号が前記予め設定された時間内に前記第iのサブフレーム中で前記端末によって送信されないという不連続伝送（DTX）状態の数を表す、ステップ
を含む、請求項4から7のいずれか一項に記載の方法。
【請求項９】
前記第1の端末は、受信した、1秒あたりに無線リンク制御（RLC）に届くデータ量が予め設定された閾値を超える端末である、請求項1から8のいずれか一項に記載の方法。
【請求項１０】
第1の端末によって送信されるチャンネル品質指標（CQI）を受信するように構成される受信モジュールと、
前記第1の端末のスケジューリングのためのサブフレームを決定するように構成される第1の決定モジュールと、
前記サブフレームが属するサブフレームセットを決定するように構成される第2の決定モジュールであって、前記サブフレームセットは第1のサブフレームセットまたは第2のサブフレームセットであり、前記第1のサブフレームセットと前記第2のサブフレームセットとは、異なるCQI調整量に対応する、第2の決定モジュールと、
前記サブフレームが属する前記サブフレームセットに対応するCQI調整量に基づいて前記CQIを調整するように構成される調整モジュールと、
調整されたCQIに基づいて前記第1の端末のスケジューリングのための変調符号化方式（MCS）を決定するように構成される第3の決定モジュールと
を備える基地局。
【請求項１１】
複数のスケジューリングサブフレームを前記第1のサブフレームセットと前記第2のサブフレームセットとに分割するように構成される分割モジュール
をさらに備える、請求項10に記載の基地局。
【請求項１２】
複数のスケジューリング済み端末の肯定応答（ACK）／否定応答（NACK）情報を取得するように構成される取得モジュール
をさらに備え、
前記分割モジュールは、前記複数のスケジューリング済み端末の前記ACK／NACK情報に基づいて前記複数のスケジューリングサブフレームを前記第1のサブフレームセットと前記第2のサブフレームセットとに分割するように特に構成される、請求項11に記載の基地局。
【請求項１３】
前記複数のスケジューリング済み端末の前記ACK／NACK情報に基づいて前記複数のスケジューリングサブフレームの各々のブロックエラーレート（Bler）に関する統計値を収集するように構成される統計値収集モジュール
をさらに備え、
前記分割モジュールは、前記複数のスケジューリングサブフレームの各々の前記Blerに基づいて前記複数のスケジューリングサブフレームを前記第1のサブフレームセットと前記第2のサブフレームセットとに分割するように特に構成される、請求項12に記載の基地局。
【請求項１４】
前記取得モジュールは、調整時期が到来するときに、前記調整時期前の前記複数のスケジューリングサブフレームの各々のBlerを取得するようにさらに構成され、
前記分割モジュールは、前記第1のサブフレームセットおよび前記第2のサブフレームセットを取得するために、前記調整時期前の前記複数のスケジューリングサブフレームの各々の前記Blerに基づいて前記調整時期前の第1のサブフレームセットおよび第2のサブフレームセット中のサブフレームを調整するように特に構成される、請求項13に記載の基地局。
【請求項１５】
前記調整時期前の前記第1のサブフレームセットは第1のスケジューリングサブフレームを含み、
前記取得モジュールは、前記調整時期が到来するときに、前記調整時期前の前記第1のサブフレームセットのBlerを取得するようにさらに構成され、
前記分割モジュールは、前記調整時期前の前記第1のサブフレームセットの前記Blerが第1の閾値を超え、かつ前記調整時期前の前記第1のサブフレームセット中の第1のサブフレームのBlerが第2の閾値を超える場合、前記第1のサブフレームセットおよび前記第2のサブフレームセットを取得するために、前記調整時期に、前記第1のスケジューリングサブフレームを前記調整時期前の前記第1のサブフレームセットから前記調整時期前の前記第2のサブフレームセットに前記基地局によって置き換えるように特に構成される、請求項14に記載の基地局。
【請求項１６】
前記調整時期前の前記第2のサブフレームセットは第2のスケジューリングサブフレームを含み、
前記取得モジュールは、前記調整時期が到来するときに、前記調整時期前の前記第1のサブフレームセットのBlerを取得するようにさらに構成され、
前記分割モジュールは、前記調整時期前の前記第2のサブフレームセットのBlerが第3の閾値を超え、かつ前記調整時期前の前記第2のサブフレームセット中の第2のサブフレームのBlerが第4の閾値以下である場合、前記第1のサブフレームセットおよび前記第2のサブフレームセットを取得するために、前記調整時期に、前記第2のスケジューリングサブフレームを前記調整時期前の前記第2のサブフレームセットから前記調整時期前の前記第1のサブフレームセットに前記基地局によって置き換えるように特に構成される、請求項15に記載の基地局。
【請求項１７】
前記統計値収集モジュールは、
前記複数のスケジューリングサブフレームの各々の前記Blerに関する統計値を以下の式
【数２】
2019531650.tif 000012
を用いて収集するように特に構成され、
Bler（i）は、予め設定された時間内の前記複数のスケジューリングサブフレーム中の第iのサブフレームのBlerを表し、NNACK（i）は、前記第iのサブフレーム中で伝送されるダウンリンクデータに基づいて前記予め設定された時間内に端末によってフィードバックされるNACKの数を表し、NACK（i）は、前記第iのサブフレーム中で伝送される前記ダウンリンクデータに基づいて前記予め設定された時間内に前記端末によってフィードバックされるACKの数を表し、NDTX（i）は、信号が前記予め設定された時間内に前記第iのサブフレーム中で前記端末によって送信されないという不連続伝送（DTX）状態の数を表す、請求項13から16のいずれか一項に記載の基地局。
【請求項１８】
前記第1の端末は、受信した、1秒あたりに無線リンク制御（RLC）に届くデータ量が予め設定された閾値を超える端末である、請求項10から17のいずれか一項に記載の基地局。
【発明の詳細な説明】
【技術分野】
【０００１】
本発明は通信分野に関し、特に適応変調符号化方法および基地局に関する。
【背景技術】
【０００２】
データサービスに対する世間のますます高まる要求を満たすために、第3世代パートナーシッププロジェクト（3GPP、3rd Generation Partnership Project）は「ロングタームエボリューション（LTE、Long Term Evolution）プロジェクト」に乗り出している。LTEプロジェクトは、進化し続けている3Gシステムを用いてより強力なデータサービスサポートを提供して、ユーザに優れたサービスを提供することを意図している。LTEシステムのキーテクノロジはスケジューリングならびに適応変調符号化技術を含む。
【０００３】
先行技術では、ユーザ端末によって報告されるチャンネル品質指標（Channel quality indicator、CQI）を適応変調符号化（Adaptive Modulation and Coding、AMC）機構を用いて絶え間なく調整し、変調符号化方式（Modulation and Coding Scheme、MCS）を肯定応答（Acknowledge、ACK）／否定応答（Negative Acknowledge、NACK）情報と目標ブロックエラーレートとを用いて動的に調整し、これにより、UEのダウンリンクデータブロックレート（Block Error Rate、Bler）が目標値に収束する。AMC機構におけるCQI調整アルゴリズムの式は、
【数１】
2019531650.tif 000003
であり、ここで、FinalDLCqiAdjStepOfblerは調整ステップであって、デフォルト値は0.1であってもよく、BlerTargetは目標ブロックエラーレートであって、デフォルト値は10％であってもよく、BlerMeasはブロックエラーレートの測定値であり、NACKを受信する場合、BlerMeasは1であり、ACKを受信する場合、BlerMeasは0である。
【０００４】
しかし、実際のネットワークでは、サービングセルに対する隣接セルの干渉がリアルタイムに変化する。特にパイロットブレイシング（pilot breathing）アルゴリズムを有効にした後は、ネットワークに対する干渉がたびたび変化する。既存のAMC機構はサービングセルに対する干渉のリアルタイム変化に適応することができない。したがって、サブフレームのデータ伝送のためのMCSはサービングセルにおいて隣接セルによってわずかにしか干渉を受けないが、このMCSは、主に、深刻に干渉を受けるサブフレームに左右される。このことは、ネットワークシステムのデータ伝送効率およびスループットに影響を及ぼす。
【発明の概要】
【課題を解決するための手段】
【０００５】
本出願では、ネットワークシステムのデータ伝送効率およびスループットを改善する適応変調符号化方法および基地局を提案する。
【０００６】
第1の態様に係れば、適応変調符号化方法が提供され、方法は、基地局により、第1の端末によって送信されるチャンネル品質指標（CQI）を受信するステップと、基地局により、第1の端末のスケジューリングのためのサブフレームを決定するステップと、基地局により、サブフレームが属するサブフレームセットを決定するステップであって、サブフレームセットは第1のサブフレームセットまたは第2のサブフレームセットであり、第1のサブフレームセットと第2のサブフレームセットとは、異なるCQI調整量に対応する、ステップと、基地局により、サブフレームが属するサブフレームセットに対応するCQI調整量に基づいてCQIを調整するステップと、基地局により、調整されたCQIに基づいて第1の端末のスケジューリングのための変調符号化方式（MCS）を決定するステップと含む。
【０００７】
この解決手段では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、基地局が現在のセルで低干渉サブフレームの高い信号対ノイズ比を効率的に用いることができることにより、ネットワークシステムのダウンリンクデータの伝送効率およびスループットが改善される。これに加えて、先行技術と比較して、端末によって報告されるCQIを柔軟に調整することができることにより、システム柔軟性が改善される。
【０００８】
第1の態様に関して、第1の態様のいくつかの実現例では、方法は、基地局により、複数のスケジューリングサブフレームを第1のサブフレームセットと第2のサブフレームセットとに分割するステップをさらに含む。
【０００９】
第1の態様に関して、第1の態様のいくつかの実現例では、基地局により、複数のスケジューリングサブフレームを第1のサブフレームセットと第2のサブフレームセットとに分割するステップは、基地局により、複数のスケジューリング済み端末の肯定応答（ACK）／否定応答（NACK）情報を取得するステップと、基地局により、複数のスケジューリング済み端末のACK／NACK情報に基づいて複数のスケジューリングサブフレームを第1のサブフレームセットと第2のサブフレームセットとに分割するステップとを含む。
【００１０】
この解決手段では、基地局は、スケジューリング済み端末のACK／NACK情報に基づいて複数のスケジューリングサブフレームを第1のサブフレームセットと第2のサブフレームセットとに分割してもよく、端末が隣接セルから来て位置するサービングセルの隣接セルのサブフレームのベアラデータ状態を取得する必要がなく、これにより、システム柔軟性および解決手段実施可能性が改善される。
【００１１】
第1の態様に関して、第1の態様のいくつかの実現例では、基地局により、複数のスケジューリング済み端末のACK／NACK情報に基づいて複数のスケジューリングサブフレームを第1のサブフレームセットと第2のサブフレームセットとに分割するステップは、基地局により、複数のスケジューリング済み端末のACK／NACK情報に基づいて複数のスケジューリングサブフレームの各々のブロックエラーレート（Bler）に関する統計値を収集するステップと、基地局により、複数のスケジューリングサブフレームの各々のBlerに基づいて複数のスケジューリングサブフレームを第1のサブフレームセットと第2のサブフレームセットとに分割するステップとを含む。
【００１２】
第1の態様に関して、第1の態様のいくつかの実現例では、基地局により、複数のスケジューリングサブフレームの各々のBlerに基づいて複数のスケジューリングサブフレームを第1のサブフレームセットと第2のサブフレームセットとに分割するステップは、調整時期が到来するときに、基地局により、調整時期前の複数のスケジューリングサブフレームの各々のBlerを取得するステップと、基地局により、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセット中のサブフレームを調整するステップとを含む。
【００１３】
この解決手段では、基地局が調整時期前の調整期間内に各スケジューリングサブフレームのBlerに関する統計値を収集して、スケジューリングサブフレームのBlerに基づいて、調整時期前の調整期間内の第1のサブフレームセットおよび第2のサブフレームセットを調整してもよく、これにより、スケジューリングサブフレームが属するサブフレームセットを動的に変更することができることで、システム柔軟性が改善される。
【００１４】
第1の態様に関して、第1の態様のいくつかの実現例では、調整時期前の第1のサブフレームセットは第1のスケジューリングサブフレームを含み、基地局により、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセットを調整するステップは、調整時期が到来するときに、基地局により、調整時期前の第1のサブフレームセットのBlerを取得するステップと、調整時期前の第1のサブフレームセットのBlerが第1の閾値を超え、かつ調整時期前の第1のサブフレームセット中の第1のサブフレームのBlerが第2の閾値を超える場合、基地局により、第1のサブフレームセットおよび第2のサブフレームセットを取得するために、調整時期に、第1のサブフレームを調整時期前の第1のスケジューリングサブフレームセットから調整時期前の第2のサブフレームセットに置き換えるステップとを含む。
【００１５】
第1の態様に関して、第1の態様のいくつかの実現例では、調整時期前の第2のサブフレームセットは第2のスケジューリングサブフレームを含み、基地局により、第1のサブフレームセットおよび第2のサブフレームセットを取得するために、調整時期での複数のスケジューリングサブフレームの各々のBlerに基づいて調整時期前の第1のサブフレームセットおよび第2のサブフレームセットを調整するステップは、調整時期が到来するときに、基地局により、調整時期前の第2のサブフレームセットのBlerを取得するステップと、調整時期前の第2のサブフレームセットのBlerが第3の閾値を超え、かつ調整時期前の第2のサブフレームセット中の第2のサブフレームのBlerが第4の閾値以下である場合、基地局により、第1のサブフレームセットおよび第2のサブフレームセットを取得するために、調整時期に、第2のサブフレームを調整時期前の第2のサブフレームセットから調整時期前の第1のサブフレームセットに置き換えるステップとを含む。
【００１６】
第1の態様に関して、第1の態様のいくつかの実現例では、基地局により、複数のスケジューリング済み端末のACK／NACK情報に基づいて複数のスケジューリングサブフレームの各々のブロックエラーレート（Bler）に関する統計値を収集するステップは、基地局により、複数のスケジューリングサブフレームの各々のBlerに関する統計値を以下の式
【数２】
2019531650.tif 000004
を用いて収集するステップであって、
Bler（i）は、予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す、ステップを含む。
【００１７】
第1の態様に関して、第1の態様のいくつかの実現例では、第1の端末は、受信した、1秒あたりに無線リンク制御（Radio Link Control、RLC）に届くデータ量が予め設定された閾値を超える端末である。
【００１８】
第2の態様に係れば、第1の態様または第1の態様の実現例のいずれか1つに記載の方法を実行するユニットまたはモジュールを含む基地局が提供される。
【００１９】
第3の態様に係れば、受信器、メモリおよびプロセッサを含む基地局が提供され、メモリはプログラムを記憶するように構成され、プロセッサはプログラムを実行するように構成される。プログラムが実行されるとき、プロセッサは、第1の態様または第1の態様のいずれかの実現例に記載の方法を実行するように特に構成される。
【００２０】
第4の態様に係れば、コンピュータ可読媒体が提供される。コンピュータ可読媒体はプログラムコードを記憶するように構成され、プログラムコードは、第1の態様または第1の態様の実現例のいずれか1つに記載の方法を実行するための指示を含む。
【００２１】
本発明の実施形態における技術的解決手段をより明確に説明するために、以下、本発明の実施形態を説明するのに必要な添付の図面を簡単に説明する。以下の説明中の添付の図面は、本発明のいくつかの実施形態を示すだけにすぎず、当業者が創造的な努力なしにこれらの添付の図面からさらに他の図面を導き出すことができることは明らかである。
【図面の簡単な説明】
【００２２】
【図１】本発明の実施形態に係る通信システムの概略図である。
【図２】パイロットブレイシングを有効にした後の軽負荷にあるサービングセルに対する干渉の変化の概略図である。
【図３】本発明の実施形態に係る適応変調符号化方法の概略フローチャートである。
【図４】本発明の別の実施形態に係る適応変調符号化方法の詳細フローチャートである。
【図５】本発明の実施形態に係る基地局の概略ブロック図である。
【図６】本発明の別の実施形態に係る基地局の概略構成図である。
【発明を実施するための形態】
【００２３】
以下では、本発明の実施形態における添付の図面を参照して本発明の実施形態における技術的解決手段を明確にかつ完全に説明する。説明されている実施形態は、本発明の実施形態の一部にしかすぎず、すべてではないことは明らかである。創造的な努力なしに本発明の実施形態に基づいて当業者によって得られる他のすべての実施形態が本発明の保護範囲に含まれる。
【００２４】
本発明の技術的解決手段を様々な通信システム、たとえば、ロングタームエボリューション（Long Term Evolution、略してLTE）システムおよび将来の5G通信システムに適用してもよいと当然解する。
【００２５】
LTEシステムについては、異なるフレームが異なる複信モードに対して定められると当然解する。たとえば、時分割複信（Time Division Duplexing、TDD）通信システムでは、無線フレームの長さは10ミリ秒（ms）であり、5msの長さを有する2つのハーフフレームを含む。各ハーフフレームは1msの長さを有する5つのサブフレームを含む。言い換えると、無線フレーム全体は、1msの長さを有する10個のサブフレームに分割される。別の例について、周波数分割複信（Frequency Division Duplexing、FDD）通信システムでは、10msの各無線フレームが1msの10個のサブフレームに分割される。各サブフレームは2つのスロットを含み、各スロットは0.5msであって、いくつかのリソースブロック（Physical Resource Block、PRB）を含んでもよい。
【００２６】
図1は、本発明の実施形態に適用することができる通信システムの概略図100である。通信システム100は、少なくとも1つのネットワークデバイス1101、たとえば、基地局や基地局コントローラを含んでもよい。各ネットワークデバイス110は、特定の地理的エリアに対する通信カバレッジを提供することができ、カバレッジエリア（セル）内の端末（たとえばUE）と通信することができる。ネットワークデバイス110は、LTEシステムの発展型NodeB（evolved NodeB、略して「eNB」または「eNodeB」）や、クラウド無線アクセスネットワーク（Cloud Radio Access Network、略して「CRAN」）の無線コントローラであってもよい。これの代わりに、ネットワークデバイスは、中継局、アクセスポイント、車内デバイス、ウェアラブルデバイス、将来の5Gネットワークのネットワーク側デバイス、将来の発展型公衆地上モバイルネットワーク（Public Land Mobile Network、略して「PLMN」）のネットワークデバイスなどであってもよい。
【００２７】
無線通信システム100は、ネットワークデバイス110のカバレッジエリア内の複数の端末120をさらに含む。複数の端末は異なる規格の端末であってもよい。たとえば、図1に示されている2つの端末はそれぞれ4G端末および5G端末であってもよい。図1は1つのネットワークデバイスと2つの端末とを図示している。これとは別に、通信システム100は複数のネットワークデバイスを含んでもよく、各ネットワークデバイスのカバレッジエリア内に別の数の端末が存在してもよい。これは本発明の本実施形態において限定されない。
【００２８】
端末は、モバイル端末（Mobile Terminal）、モバイルユーザ端末などと称する場合もあるユーザ端末（User Equipment、略して「UE」）を含んでもよく、無線アクセスネットワーク（たとえばRadio Access Network、略して「RAN」）を用いて1つ以上のコアネットワークと通信してもよいと当然さらに解する。ユーザ端末は携帯電話器（または「セルラ」電話器と称する）などのモバイル端末またはモバイル端末を有するコンピュータであってもよく、たとえば、音声および／またはデータを無線アクセスネットワークと交換するポータブルポケットサイズモバイル装置、携帯型モバイル装置、コンピュータ内蔵モバイル装置または車内モバイル装置であってもよい。
【００２９】
これとは別に、無線通信システム100は、ネットワークコントローラおよびモビリティマネージメントエンティティ（mobility management entity）などの他のネットワークエンティティをさらに含んでもよい。これは本発明の本実施形態において限定されない。
【００３０】
図2は、本発明の実施形態に係る適応変調符号化方法の概略フローチャートである。図2に示されている方法を基地局によって実行してもよい。方法は以下のステップを含む。
【００３１】
S210．第1の端末によって送信されるCQIを基地局が受信する。
【００３２】
特に、本発明の本実施形態では、基地局が第1の端末にダウンリンクデータを送信する必要がある場合、基地局が第1の端末にセル固有参照信号（Cell Specific Reference Signal、CRS）を送信し、第1の端末がCRSに基づいてCQIを生成して、CQIを基地局に送信してもよい。
【００３３】
これとは別に、いくつかの実施形態では、CQIは、第1の端末によって推奨されるMCSをさらに含んでもよい。
【００３４】
これとは別に、いくつかの実施形態では、上記とは異なり、CQIとMCSとの間のマッピングの予め設定されたテーブルに基づいてMCSを基地局が取得してもよい。
【００３５】
S220．基地局が第1の端末のスケジューリングのためのサブフレームを決定する。
【００３６】
特に、第1の端末によって送信されるCQIを受信した後、CQIに基づいて、ポリシを用いて、基地局が第1の端末にダウンリンクリソースを割り付けてもよい。たとえば、第1の端末によって報告されるCQIに基づいて、第1の端末のスケジューリングのためのサブフレーム（たとえば、フレーム番号が10であるフレーム中のサブフレーム3）とチャンネル品質に適用可能なMCSとを基地局が決定してもよい。
【００３７】
これとは別に、いくつかの実施形態では、第1の端末はラージパケットユーザ端末であってもよく、サブフレームを用いて基地局と第1の端末との間で伝送されるデータがラージパケットユーザデータであってもよい。特に、ラージパケットユーザ端末は長期間オンラインであり、ダウンリンクデータ伝送中に多数回用にスケジューリングされる。したがって、サブフレームセットを分割してサブフレームセットに対応するCQI調整量を管理する、本発明の本実施形態において提供される解決手段を用いて高いスループットゲインを取得することができる。
【００３８】
特に、本発明の本実施形態では、端末とのデータ伝送を実行する前、端末がラージパケットユーザ端末であるか否かを基地局が最初に特定してもよい。特に、本発明の本実施形態では、1秒あたりに無線リンク制御（Radio Link Control、RLC）に届く端末のデータ量が予め設定された閾値を超える場合に基地局が端末をラージパケットユーザ端末と特定してもよい。予め設定された閾値の値は本発明の本実施形態において特に限定されないと当然解する。たとえば、伝送予定データ量が0である場合、予め設定された閾値は1250000バイト（byte）であってもよい。言い換えると、1秒あたりにRLCに届く端末のデータ量が1250000byteを超える場合に基地局が端末をラージパケットユーザ端末と特定する。別の例については、伝送予定データ量が0でない場合、予め設定された閾値は、Min｛伝送予定データ量＊1000／8byte、1250000byte｝であってもよく、ここで、Min｛伝送予定データ量＊1000／8byte、1250000byte｝は、予め設定された閾値が伝送予定データ量＊1000／8byteと1250000byteとで小さい方の値であることを示す。
【００３９】
S230．サブフレームが属するサブフレームセットを基地局が決定し、このサブフレームセットは第1のサブフレームセットまたは第2のサブフレームセットであり、第1のサブフレームセットと第2のサブフレームセットとは、異なるCQI調整量に対応する。
【００４０】
本発明の本実施形態では、基地局は、第1のサブフレームセットおよび第2のサブフレームセットにそれぞれ対応するCQI調整量を別々に管理する。これは先行技術と比較してより柔軟である。異なるサブフレームセットに対して異なるCQI調整量を管理することにより、ネットワークシステムのデータ伝送効率およびスループットを改善する。たとえば、高干渉が低干渉と交互に生じる図3に示されている例では、高干渉サブフレームが第1のサブフレームセットを構成し、低干渉サブフレームが第2のサブフレームセットを構成する。したがって、2セット中のサブフレームのスケジューリングを異なるCQI調整量を用いて調整し、ネットワークシステムのデータ伝送効率およびスループットを比較的大きく改善することができる。以下、詳細を説明する。
【００４１】
端末によって送信されたNACKを基地局が受信する場合には、CQI調整量が、ACKを受信したときのCQI調整量の約10倍であることが、上述したAMC機構におけるCQI調整アルゴリズムから分かる。したがって、隣接セルによってシステムメッセージを送信するためのサブフレームの割合が、AMC機構によって指定されるBler目標値を超える。言い換えると、隣接セルのサブフレームの10％超が強い干渉を有する。AMC機構を用いて計算されるCQI調整量が、主に、高干渉サブフレームのこの割合でのチャンネル品質に左右され、基地局によって最後に選択されるMCSも、主に、高干渉サブフレームのこの割合でのチャンネル品質に左右される。したがって、端末を干渉がないか干渉の低いサブフレームにおいてスケジューリングする場合であっても、端末のスケジューリングのために選択されるMCSは比較的低い次数（order）を有する。この結果、低干渉サブフレームの高い信号対ノイズ比（Signal Noise Ratio、SNR）の特性を反映することができず、サービングセルのスループットが低下する。
【００４２】
したがって、いくつかの実施形態では、スケジューリングサブフレームを隣接セルの干渉状態に基づいて第1のサブフレームセットと第2のサブフレームセットとに分割してもよい。第1のサブフレームセットは第2のサブフレームセットよりも小さい隣接セルの干渉を受ける。したがって、第1のサブフレームセットを低干渉サブフレームセットとも称する場合があり、第2のサブフレームセットを高干渉サブフレームセットとも称する場合がある。基地局が低干渉サブフレームセットおよび高干渉サブフレームセットのそれぞれのCQI調整量を管理することによって、1セットのCQI調整量しか用いられないために低干渉サブフレームの高い信号対ノイズ比を反映することができない先行技術の課題が回避され、セルのスループットが改善される。
【００４３】
サブフレームセットの分割時期および分割手法は本発明の本実施形態において特に限定されない点に留意するべきである。たとえば、サブフレームを第1のサブフレームセットと第2のサブフレームセットとに直接分割するのに不変の分割手法を用いてもよい。
【００４４】
これとは別に、いくつかの実施形態では、第1のサブフレームセットと第2のサブフレームセットとを調整期間に基づいて分割してもよい。調整期間が到来するときに、基地局は複数のスケジューリングサブフレームを第1のサブフレームセットと第2のサブフレームセットとに再分割してもよい。基地局が複数のスケジューリングサブフレームを第1のサブフレームセットと第2のサブフレームセットとに分割する手法は詳細に後述されることになるが、ここでは詳細は説明しない。
【００４５】
S240．サブフレームが属するサブフレームセットに対応するCQI調整量に基づいてCQIを基地局が調整する。
【００４６】
S250．基地局が調整されたCQIに基づいて第1の端末のスケジューリングのための変調符号化方式（MCS）を決定する。
【００４７】
特に、本発明の本実施形態では、第1の端末のスケジューリングのためのサブフレームが属するサブフレームセットに対応するCQI調整量に基づいて、第1の端末によって報告されるCQIを基地局が調整し、これにより、調整されたCQIに基づいて、第1の端末のスケジューリングのための変調符号化方式（MCS）を決定してもよい。たとえば、本発明の本実施形態では、第1のサブフレームセットに対応するCQI調整量は2であってもよく、第2のサブフレームセットに対応するCQI調整量は−1であってもよく、第1の端末によって報告され、基地局が受信したCQIは3である。第1の端末のスケジューリングのためのサブフレームが第1のサブフレームセットに属すると基地局が決定する場合、第1の端末のスケジューリングのための調整されたCQIが5であると基地局が決定してもよく、基地局は調整されたCQI（すなわち、5の値を有するCQI）に基づいて第1の端末のスケジューリングのためのMCSを決定してもよい。当然、第1の端末のスケジューリングのためのサブフレームが第2のサブフレームセットに属すると基地局が決定する場合、第1の端末のスケジューリングのための調整されたCQIが2であると基地局が決定してもよく、基地局は調整されたCQI（すなわち、2の値を有するCQI）に基づいて第1の端末のスケジューリングのためのMCSを決定してもよい。
【００４８】
本発明の本実施形態における提供される適応変調符号化方法に係れば、第1の端末のスケジューリングのためのサブフレームが属するサブフレームセットを基地局が決定して、サブフレームセットに対応するCQI調整量に基づいて第1の端末によって報告されるCQIを基地局が調整してもよい。これは先行技術と比較してより柔軟である。
【００４９】
これとは別に、いくつかの実施形態では、第1の端末のスケジューリングのためのサブフレーム中で送信されるACK／NACK情報に基づいて、第1の端末のスケジューリングのためのサブフレームが属するサブフレームセットに対応するCQI調整量を基地局が調整してもよい。
【００５０】
特に、本発明の本実施形態では、第1の端末のスケジューリングのためのサブフレームが属するサブフレームセットを基地局が決定すると、サブフレームを用いて第1の端末とのダウンリンクデータ伝送を基地局が実行し、サブフレーム中で伝送されるデータのACK／NACK情報を端末が基地局にフィードバックしてもよい。ACK／NACK情報を受信した後、基地局がAMC機構を用いて、サブフレームが属するサブフレームセットに対応するCQI調整量を調整してもよい。
【００５１】
これとは別に、いくつかの実施形態では、本発明の本実施形態における適応変調符号化方法は、
複数のスケジューリングサブフレームを第1のサブフレームセットと第2のサブフレームセットとに基地局によって分割するステップ
をさらに含んでもよい。
【００５２】
本発明の本実施形態では、複数のスケジューリングサブフレームが複数の端末のスケジューリングのためのサブフレームであってもよいし、1つの端末のスケジューリングのためのサブフレームであってもよい点に留意するべきである。
【００５３】
これとは別に、いくつかの実施形態では、隣接セルに対応する基地局の指標情報を基地局が受信してもよく、基地局が指標情報に基づいて複数のスケジューリングサブフレームを第1のサブフレームセットと第2のサブフレームセットとに分割してもよい。指標情報は第1の端末のセルに対する隣接セルの干渉の状態を示してもよく、すなわち、指標情報は複数のスケジューリングサブフレームの分割手法を示す。本発明の本実施形態では、指標情報を隣接セルに対応する基地局から直接受信し、複数のスケジューリングサブフレームを指標情報に基づいて直接分割する。分割手法は実施容易であり、動作するのに都合がよい。
【００５４】
これとは別に、いくつかの実施形態では、隣接セルに対応する基地局の指標情報を基地局が受信してもよく、基地局が指標情報に基づいて複数のスケジューリングサブフレームを第1のサブフレームセットと第2のサブフレームセットとに分割してもよい。指標情報は第1の端末のセルに対する隣接セルの干渉の状態を示してもよく、すなわち、指標情報は複数のスケジューリングサブフレームの分割手法を示す。本発明の本実施形態では、指標情報を隣接セルに対応する基地局から直接受信し、複数のスケジューリングサブフレームを指標情報に基づいて直接分割する。分割手法は実施容易であり、動作するのに都合がよい。
【００５５】
これとは別に、いくつかの実施形態では、基地局が第1の端末のスケジューリングのためのサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【００５６】
本発明の本実施形態では、基地局が第1の端末のスケジューリングのためのサブフレームを決定し、サブフレームをサービングセルでのサブフレームとして適用してもよく、サービングセルが少なくとも1つの隣接セルを有してもよいと当然解する。
【００５７】
データベアラ状態が、データを搬送しない、小データ量を搬送、比較的大データ量を搬送などを含んでもよいと当然解する。たとえば、無効であるサブフレーム（たとえば、番号が2および3であるサブフレーム）のデータベアラ状態はデータを搬送しない状態であってもよく、番号が0であり、同報送信メッセージを搬送するサブフレームのデータベアラ状態は比較的大データ量を搬送であってもよく、無効でないサブフレーム（たとえば、番号が1および4であるサブフレーム）のデータベアラ状態は小データ量を搬送であってもよい。
【００５８】
さらに、隣接セルのサブフレームのデータベアラ状態が、サブフレームが大データ量を搬送することを示す場合、サービングセルに対するサブフレームの干渉のレベルは高いと当然解する。言い換えると、隣接セルのサブフレームのデータベアラ状態は、サービングセルに対する隣接セルのサブフレーム番号の干渉のレベルを間接的に示すこともできる。
【００５９】
たとえば、番号が0〜9である10個のサブフレームについては、サブフレームのデータベアラ状態は以下を含んでもよく、すなわち、番号が0であるサブフレームと番号が5であるサブフレームとは比較的大データ量を搬送し、番号が1であるサブフレーム、番号が4であるサブフレーム、および番号が9であるサブフレームは小データ量を搬送し、番号が2であるサブフレーム、番号が3であるサブフレーム、番号が6であるサブフレーム、番号が7であるサブフレーム、および番号が8であるサブフレームはデータを搬送しない。サービングセルに対する比較的大データ量を搬送するサブフレームの干渉のレベルは高干渉であり、サービングセルに対する小データ量を搬送するサブフレームの干渉のレベルは中干渉であり、サービングセルに対するデータを搬送しないサブフレームの干渉のレベルは低干渉である。
【００６０】
本発明の本実施形態では、第1の端末のサービングセルの隣接セルのサブフレームのベアラデータ状態またはサービングセルに対する隣接セルの干渉のレベルを用いて複数のスケジューリングサブフレームを第1のサブフレームセットと第2のサブフレームセットとに分割する場合、サービングセルおよび隣接セルが時間同期されたセルである必要がある点に留意するべきである。
【００６１】
これとは別に、いくつかの実施形態では、複数のスケジューリングサブフレームを第1のサブフレームセットと第2のサブフレームセットとに基地局によって分割するステップは、
複数のスケジューリング済み端末のACK／NACK情報を基地局によって取得するステップと、
複数のスケジューリング済み端末のACK／NACK情報に基づいて複数のスケジューリングサブフレームを第1のサブフレームセットと第2のサブフレームセットとに基地局によって分割するステップと
をさらに含んでもよい。
【００６２】
本発明の本実施形態では、隣接セルに関する情報を参照せず、複数のスケジューリング済み端末のACK／NACK情報に基づいて複数のスケジューリングサブフレームを第1のサブフレームセットと第2のサブフレームセットとに直接分割しており、すなわち、第1の端末のサービングセルと隣接セルとを時間同期する必要はなく、これにより、システムの柔軟性が向上する。
【００６３】
特に、本発明の本実施形態では、基地局がスケジューリングサブフレームを用いてデータを端末に送信した後、端末が基地局にスケジューリングサブフレーム中のダウンリンクデータに対するACK／NACK情報を送信してもよい。基地局によって送信されるダウンリンクデータを端末が正しく受信する場合には、端末が基地局にACK情報を送信してもよい。基地局によって送信されるダウンリンクデータを端末が正しく受信しない場合には、端末が基地局にNACK情報を送信してもよい。複数のスケジューリング済み端末のACK／NACK情報に基づいて複数のスケジューリングサブフレームを第1のサブフレームセットと第2のサブフレームセットとに基地局が分割してもよい。
【００６４】
これとは別に、いくつかの実施形態では、端末の情報であって、スケジューリングサブフレームに基づくACK／NACK情報を基地局が取得することは、特に、スケジューリングサブフレームのコードワード0上のデータに基づいて端末によって送信されるACK／NACK情報を基地局によって取得することで、複数のスケジューリングサブフレームを第1のサブフレームセットと第2のサブフレームセットとに分割するステップであってもよい。
【００６５】
これとは別に、いくつかの実施形態では、端末の情報であって、スケジューリングサブフレームに基づくACK／NACK情報を基地局が取得することは、上記とは異なり、特に、スケジューリングサブフレームのコードワード1上のデータに基づいて端末によって送信されるACK／NACK情報を基地局によって取得することで、複数のスケジューリングサブフレームを第1のサブフレームセットと第2のサブフレームセットとに分割するステップであってもよい。ただし、本発明はこれに限定されない。これとは別に、いくつかの実施形態では、複数のスケジューリング済み端末のACK／NACK情報に基づいて複数のスケジューリングサブフレームを第1のサブフレームセットと第2のサブフレームセットとに基地局によって分割するステップは、
予め設定された時間内の複数のスケジューリングサブフレームの各々に対応するACKおよびNACKの数を基地局によってカウントするステップ、および
スケジューリングサブフレームのACKの数がスケジューリングサブフレームのNACKの数以上である場合に、スケジューリングサブフレームを第1のサブフレームセットに入れるステップ、または
スケジューリングサブフレームのACKの数がスケジューリングサブフレームのNACKの数未満である場合に、スケジューリングサブフレームを第2のサブフレームセットに入れるステップ
を含んでもよい。
【００６６】
これとは別に、いくつかの実施形態では、複数のスケジューリング済み端末のACK／NACK情報に基づいて複数のスケジューリングサブフレームを第1のサブフレームセットと第2のサブフレームセットとに基地局によって分割するステップは、
複数のスケジューリング済み端末のACK／NACK情報に基づいて複数のスケジューリングサブフレームの各々のBlerに関する統計値を基地局によって収集するステップと、
複数のスケジューリングサブフレームの各々のBlerに基づいて複数のスケジューリングサブフレームを第1のサブフレームセットと第2のサブフレームセットとに基地局によって分割するステップと
をさらに含んでもよい。
【００６７】
本発明の本実施形態では、ダウンリンクデータ伝送を実行するのに、複数のスケジューリングサブフレームの各々がスケジューリング済み端末によって用いられれば、そのスケジューリングサブフレームは1つのサブフレームまたはサブフレームのグループであってもよいと当然解する。これは本発明において限定されない。各スケジューリングサブフレームがサブフレームのグループを表す場合、各スケジューリングサブフレームのBlerはサブフレームのグループのBlerであってもよい。
【００６８】
これとは別に、いくつかの実施形態では、複数のスケジューリングサブフレームの各々のBlerに基づいて複数のスケジューリングサブフレームを第1のサブフレームセットと第2のサブフレームセットとに基地局によって分割するステップは、
複数のスケジューリングサブフレームを複数のサブフレームグループに基地局によって分割するステップと、
複数のサブフレームグループでの各スケジューリングサブフレームのBlerに基づいて複数のサブフレームグループを第1のサブフレームセットと第2のサブフレームセットとに基地局によって分割するステップと
を含んでもよい。
【００６９】
特に、本発明の本実施形態では、複数のスケジューリングサブフレームをサブフレームの複数のグループに複数の手法で分割してもよい。これとは別に、一実現例では、剰余演算を行うことになるデータとして複数のスケジューリングサブフレームのフレーム番号を用いて剰余演算を基地局が行い、サブフレームのフレーム番号に剰余演算を行った後に得られる同じ値を有するサブフレームを足し合わせて1つのグループをなしてもよい。たとえば、本発明の本実施形態では、サブフレーム番号に剰余演算を行う法として長期不連続待ち受け（Discontinuous Reception、DRX）サイクルの整数倍を基地局が得てもよい。
【００７０】
特に、本発明の本実施形態では、スケジューリングサブフレームのサブフレーム番号nと、スケジューリングサブフレームが位置する無線フレームのフレーム番号Nとを基地局が取得して、剰余演算を行うことになるデータであって、スケジューリングサブフレームのデータであるデータMを、以下の式
M＝N＊10＋n
を用いて基地局が計算してもよい。
【００７１】
法として長期DRXサイクル（long DRX cycle）を基地局が用いる。たとえば、長期DRXサイクルは40msとして一般的に構成される。ここでは法として40を基地局が用いてもよい。剰余演算を行うことになるデータであって、複数のスケジューリングサブフレームの40による剰余のデータであるデータを基地局が用いることで、剰余演算の後に得られる同じ値を有するサブフレームを足し合わせてサブフレームの1つのグループをなしてもよい。
【００７２】
本発明の本実施形態では、剰余演算を行うことによって複数のスケジューリングサブフレームを複数のサブフレームグループに分割することは本発明の特定の実現例にすぎないと解するべきであり、本発明はこれに限定されない。
【００７３】
これとは別に、いくつかの実施形態では、複数のスケジューリングサブフレームの各々のBlerに関する統計値を以下の式
【数３】
2019531650.tif 000005
を用いて基地局が収集してもよく、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【００７４】
これとは別に、いくつかの実施形態では、複数のスケジューリングサブフレームのサブフレームの各グループのBlerに関する統計値を以下の式
【数４】
2019531650.tif 000006
を用いて基地局が別様に収集してもよく、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【００７５】
これとは別に、いくつかの実施形態では、複数のスケジューリングサブフレームの各々のBlerに基づいて複数のスケジューリングサブフレームを第1のサブフレームセットと第2のサブフレームセットとに基地局によって分割するステップは、
調整時期が到来するときに、調整時期前の複数のスケジューリングサブフレームの各々のBlerを基地局によって取得するステップと、
第1のサブフレームセットおよび第2のサブフレームセットを取得するために、調整時期前の複数のスケジューリングサブフレームの各々のBlerに基づいて調整時期前の第1のサブフレームセットおよび第2のサブフレームセット中のサブフレームを基地局によって調整するステップと
を含む。
【００７６】
特に、本発明の本実施形態では、調整時期前の調整期間内に調整時期前の複数のスケジューリングサブフレームの各々のBlerに関する統計値を基地局が収集してもよく、調整時期が到来するときに、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセット中のサブフレームを基地局が調整してもよい。
【００７７】
これとは別に、いくつかの実施形態では、調整時期前の調整期間内に各スケジューリングサブフレームのBlerに関する統計値を基地局が収集すれば、調整期間は基地局とデータ伝送するラージパケットユーザ端末（またはラージパケットユーザと称する）の数に関係してもよい。たとえば、本発明の本実施形態では、各サブフレームのBlerに関する統計値を収集する調整期間がラージパケットユーザの数倍の時間パラメータであってもよいと基地局が判断し、ここで、時間パラメータは320msであってもよい。第1のサブフレームセットと第2のサブフレームセットとの間の調整期間がラージパケットユーザ端末の数に関係してもよく、調整期間を以下の原則、すなわち、基地局が複数のラージパケットユーザ端末とデータ伝送を実行するとき、調整時期前に更新期間が存在する場合の各分割済みサブフレームのブロックエラーレートがより正確であるように、端末が複数のスケジューリングサブフレームに基づいて十分なACK／NACK情報を送信することが確実になる、を用いて選択してもよい。
【００７８】
これとは別に、いくつかの実施形態では、調整時期前の第1のサブフレームセットが第1のスケジューリングサブフレームを含み、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセットを基地局によって調整するステップは、
調整時期が到来するときに、調整時期前の第1のサブフレームセットのBlerを基地局によって取得するステップと、
調整時期前の第1のサブフレームセットのBlerが第1の閾値を超え、かつ調整時期前の第1のサブフレームセット中の第1のスケジューリングサブフレームのBlerが第2の閾値を超える場合、第1のサブフレームセットおよび第2のサブフレームセットを取得するために、調整時期前の第1のサブフレームセットから調整時期前の第2のサブフレームセットに第1のサブフレームを調整時期に基地局によって置き換えるステップと
を含む。
【００７９】
本発明の本実施形態では、調整時期が到来する前の調整期間内に、第1のサブフレームセットが第1のスケジューリングサブフレームを含んでもよいと当然解する。調整時期が到来するとき、調整時期前の調整期間内に第1のサブフレームセットのBlerを基地局が取得してもよい。
【００８０】
これとは別に、いくつかの実施形態では、複数のスケジューリングサブフレームが複数のサブフレームグループに分割されれば、第1のサブフレームセットが調整時期前の調整期間内に第1のサブフレームグループを含んでもよい。調整時期が到来するとき、基地局が第1のサブフレームグループと第1のサブフレームセットのBlerとを取得してもよい。Blerの特定の計算方法については、予め設定された時間内の各スケジューリングサブフレームのBlerの前述の計算方法を参照する。この場合、予め設定された時間は調整期間であってもよい。
【００８１】
本発明の本実施形態では、第1のサブフレームセットのBlerが、第1のサブフレームセットに含まれる複数のサブフレームグループのBlerの平均値であってもよく、第2のサブフレームセットのBlerが、第2のサブフレームセットに含まれる複数のサブフレームグループのBlerの平均値であってもよいと当然解する。当然、第1のサブフレームセットのBlerと第2のサブフレームセットのBlerとを別の実現例を用いて基地局が別様に取得してもよい。たとえば、端末によって送信されるACK／NACK情報に基づいて、調整時期前の調整期間内に第1のサブフレームセットのBlerに関する統計値を基地局が直接収集し、かつ／または調整時期前の調整期間内に第2のサブフレームセットのBlerに関する統計値を基地局が直接収集してもよい。特定の統計方法が、サブフレームの各グループのBlerに関する統計値を収集する方法と同じであってもよい。これは本発明において限定されない。
【００８２】
上述されているように、複数のスケジューリングサブフレームを第1のサブフレームセットと第2のサブフレームセットとに基地局が分割してもよく、また、複数のスケジューリングサブフレームを複数のサブフレームグループに分割してもよいと当然解する。したがって、本発明の本実施形態では、第1のサブフレームセットが複数のサブフレームグループ中のいくつかのサブフレームグループを含んでもよく、第2のサブフレームセットが複数のサブフレームグループ中のその他のサブフレームグループを含んでもよい。たとえば、本発明の本実施形態では、複数のスケジューリングサブフレームをサブフレームの40個のグループに分割して、第1のサブフレームセットがサブフレームの40個のグループ中のサブフレームの19個のグループを含み、第2のサブフレームセットがサブフレームの40個のグループ中のサブフレームのその他の21個のグループを含んでもよい。
【００８３】
特に、本発明の本実施形態では、調整時期前の調整期間内の第1のサブフレームセットのBlerが第1の閾値を超え、この第1の閾値は目標Bler＋5％であってもよく、目標Blerは基地局によって予め設定される値であってもよい。たとえば、本発明の本実施形態では、目標Blerは10％であってもよい。調整時期前の調整期間内の第1のスケジューリングサブフレームのBlerが第2の閾値を超え、この第2の閾値は30％であってもよいが、本発明はこれに限定されない。したがって、可能な一実現例において、本発明の本実施形態では、調整時期前の調整期間内の第1のサブフレームセットのBlerが15％を超え、かつ調整時期前の調整期間内の第1のサブフレームセット中の第1のサブフレームのBlerが30％を超えると統計値を通じて基地局が認識する場合に、調整時期前の調整期間内の第1のサブフレームセットから調整時期前の調整期間内の第2のサブフレームセットに第1のサブフレームを基地局が置き換えてもよい。
【００８４】
これとは別に、いくつかの実施形態では、調整時期前の調整期間内の第1のサブフレームセットのBlerが第1の閾値を超えれば、調整時期前の調整期間内のBlerが第2の閾値を超える複数の第1のサブフレームが存在してもよい。たとえば、第1のサブフレームセットには、そのBlerがすべて第2の閾値を超える4つのサブフレームが存在してもよい。この場合、Bler条件を満たす複数のサブフレームの数を基地局が限定してもよい。たとえば、第1のサブフレームセット中に、そのBlerがすべて第2の閾値を超える4つのサブフレームが存在する場合に、調整時期前の調整期間内の第1のサブフレームセットから第2のサブフレームセットにサブフレームのうちの2つのみを基地局が置き換える。特定の実現例では、上述されているように、複数のスケジューリングサブフレームを40個のサブフレームグループに分割する場合（ここで、40個のサブフレームグループを剰余演算に基づいて分割を通じて取得してもよく、サブフレームの各グループ中のサブフレームのサブフレーム番号の40による剰余を得た後に得られる値は同じである）、剰余演算後の値の大きさの順番に基づいて、Bler条件を満たす4つのサブフレームグループからサブフレームの2つのグループを基地局が決定して、第1のサブフレームセットから第2のサブフレームセットにサブフレームの2つのグループを置き換えてもよい。たとえば、剰余演算後の3、4および7の値を有する合計3つのサブフレームグループがBler調整条件を満たせば、3および4の剰余結果値を有する2つのサブフレームグループを調整時期前の調整期間内の第1のサブフレームセットから第2のサブフレームセットに基地局が置き換えてもよい。
【００８５】
これとは別に、いくつかの実施形態では、第1のサブフレームセットに含まれるスケジューリングサブフレームの数が未満ではない（第5の閾値）。特定の実現例では、上述されているように、複数のスケジューリングサブフレームを40個のサブフレームグループに分割する場合であって（ここで、40個のサブフレームグループを剰余演算に基づいて分割を通じて取得してもよく、サブフレームの各グループ中のサブフレームのサブフレーム番号の40による剰余を得た後に得られる値は同じである）、条件を満たすサブフレームの第1のグループ中のサブフレームを第1のサブフレームから第2のサブフレームセットに基地局が置き換えるとき、第1のサブフレームセット中の残りのサブフレームグループの数が10個以上であることを確保する必要がある。第1のサブフレームセット中の残りのサブフレームグループの数が10個未満である場合、第1のサブフレームセットが、Bler調整条件を満たす第1のサブフレームグループを含んでも、条件を満たすサブフレームの第1のグループを第1のサブフレームセットから第2のサブフレームセットに置き換えることは許されない。第5の閾値を10に設定することは特定の実現例にすぎないと当然解する。本発明はこれに限定されない。
【００８６】
これとは別に、いくつかの実施形態では、調整時期前の第2のサブフレームセットが第2のスケジューリングサブフレームを含み、第1のサブフレームセットおよび第2のサブフレームセットを取得するために、調整時期での複数のスケジューリングサブフレームの各々のBlerに基づいて調整時期前の第1のサブフレームセットおよび第2のサブフレームセットを基地局によって調整するステップは、
調整時期が到来するときに、調整時期前の第2のサブフレームセットのBlerを基地局によって取得するステップと、
調整時期前の第2のサブフレームセットのBlerが第3の閾値を超え、かつ調整時期前の第2のサブフレームセット中の第2のサブフレームのBlerが第4の閾値以下である場合、第1のサブフレームセットおよび第2のサブフレームセットを取得するために、調整時期前の第2のサブフレームセットから調整時期前の第1のサブフレームセットに第2のサブフレームを調整時期に基地局によって置き換えるステップと
を含む。
【００８７】
本発明の本実施形態では、基地局が調整時期前の第2のサブフレームセットのBlerを取得する手法は、基地局が調整時期前の第1のサブフレームセットのBlerを取得する手法と同じであってもよいと当然解する。これは本発明において限定されない。
【００８８】
特に、本発明の本実施形態では、調整時期前の第2のサブフレームセットのBlerが第3の閾値を超え、この第3の閾値は目標Bler−5％であってもよく、目標Blerは基地局によって予め設定される値であってもよい。たとえば、本発明の本実施形態では、目標Blerは10％であってもよい。調整時期前の第2のサブフレームセット中の第2のサブフレームのBlerは第4の閾値以下であり、この第4の閾値は0であってもよいが、本発明はこれに限定されない。したがって、可能な一実現例において、本発明の本実施形態では、調整時期前の前の更新期間内の第2のサブフレームセットのBlerが5％を超え、かつ調整時期前の第2のサブフレームセット中の第2のサブフレームのBlerが0であると統計値を通じて基地局が認識する場合に、第1のサブフレームセットおよび第2のサブフレームセットを取得するために、調整時期前の第2のサブフレームセットから調整時期前の第1のサブフレームセットに第2のサブフレームを基地局が置き換えてもよい。
【００８９】
これとは別に、いくつかの実施形態では、調整時期前の第2のサブフレームセットのBlerが第3の閾値を超えれば、Blerが調整時期前の第2のサブフレームセット中に第4の閾値を超える複数の第2のサブフレームが存在してもよい。たとえば、調整時期前の第2のサブフレームセットには、そのBlerがすべて第4の閾値以下である4つのサブフレームが存在してもよい。この場合、Bler条件を満たす複数のスケジューリングサブフレームの数を基地局が限定してもよい。たとえば、調整時期前の第2のサブフレームセット中に、そのBlerがすべて第4の閾値以下である4つのスケジューリングサブフレームが存在する場合、調整時期前の第2のサブフレームセットから調整時期前の第1のサブフレームセットにスケジューリングサブフレームのうちの1つのみを基地局が置き換えてもよい。特定の実現例では、複数のスケジューリングサブフレームを剰余演算に基づいてサブフレームの40個のグループに基地局が分割してもよく、ここで、サブフレームの各グループにおけるサブフレーム番号の40による剰余を得た後に得られる値は同じである。剰余演算後の値の大きさの順番に基づいて、Bler条件を満たす4つのサブフレームグループから、Blerが0であるサブフレームグループを基地局が決定して、第1のサブフレームセットおよび第2のサブフレームセットを取得するために、調整時期前の第2のサブフレームセットから第1のサブフレームセットにサブフレームグループ中のスケジューリングサブフレームを置き換えてもよい。
【００９０】
これとは別に、いくつかの実施形態では、調整時期前の調整期間内において、第1のスケジューリングサブフレームまたは第2のスケジューリングサブフレームに基づいてダウンリンクデータを端末が伝送した後に端末によってフィードバックされるハイブリット自動再送要求（Hybrid Automatic Repeat reQuest、HARQ）の数は第5の閾値を超える。たとえば、第1のスケジューリングサブフレームまたは第2のスケジューリングサブフレームに基づいてダウンリンクデータを端末が伝送した後に端末によってフィードバックされるHARQの数は4を超えてもよい。特に、第1のスケジューリングサブフレームまたは第2のスケジューリングサブフレームに基づいて端末によってフィードバックされるHARQの数が4を超える場合、第1のスケジューリングサブフレームまたは第2のサブフレームのBlerであって、スケジューリング済み端末によってフィードバックされるACK／NACK情報に基づいて統計値を通じて基地局によって取得されるBlerは有効なBlerであってもよい。この場合、Bler条件を満たす第1のスケジューリングサブフレームまたは第2のスケジューリングサブフレームが属するセットを基地局が変更してもよい。
【００９１】
図4は、本発明の実施形態における適応変調符号化方法の特定のステップまたは動作を詳細に説明している。本発明の本実施形態では、当該ステップまたは動作は例にすぎない。本発明の本実施形態において実行することができる他の動作や図4の動作の変形例が存在してもよい。これに加えて、図4のステップを図4に示されているステップとは異なる順序で実行してもよく、図4のすべての動作を実行する必要はないと考えることができる。以下の詳細な説明は当業者が本発明の実施形態をよりよく理解するのを助けることを意図しているにすぎず、本発明の実施形態の範囲に対するなんらの限定としても解釈されるべきではないと当然解する。
【００９２】
以下、図4を参照して詳細に本発明の本実施形態における適応変調符号化方法の特定のステップを説明する。
【００９３】
S410．基地局が第1の端末を特定する。
【００９４】
本発明の本実施形態では、端末が受信する、1秒あたりに無線リンク制御（Radio Link Control、RLC）に届くデータ量に基づいて基地局が第1の端末を特定してもよい。
【００９５】
特定の実現例では、端末が受信する、1秒あたりに無線リンク制御に届くデータ量に対して予め設定された閾値を基地局が設定してもよい。端末が受信する、1秒あたりに無線リンク制御に届くデータ量が予め設定された閾値を超える場合に端末が第1の端末と特定してもよい。たとえば、本発明の本実施形態では、伝送予定データ量が0であり、かつ端末が受信する、1秒あたりに無線リンク制御に届くデータ量が1250000byteを超える場合に基地局が端末を第1の端末と特定してもよい。伝送予定データ量が0ではなく、かつ端末が受信する、1秒あたりに無線リンク制御に届くデータ量がMin｛伝送予定データ量＊1000／8byte、1250000byte｝を超える場合に基地局が端末を第1の端末と特定してもよい。したがって、第1の端末はラージパケットユーザの端末ともいえる。
【００９６】
第1の端末は、受信した、1秒あたりにRLCに届くデータ量が予め設定された閾値を超える端末であることが当然分かる。したがって、基地局と通信するとき、第1の端末は長期間オンラインであり、多数回用にスケジューリングされる。本発明の技術的解決手段に係れば、高いスループットゲインを得ることができるが、本発明はこれに限定されない。
【００９７】
さらに、本発明の本実施形態では、第1の端末は複数の端末であってもよいと当然解する。
【００９８】
さらに、本発明の本実施形態では、第1の端末は、1秒あたりにRLCに届くデータ量が予め設定された閾値を超える端末に限られると当然解する。特に、所定期間内に、1秒あたりにRLCに届くデータ量が予め設定された閾値を超えるという条件を端末1が満たせば、これによって、端末1は第1の端末であってもよい。しかし、別の期間内に、1秒あたりにRLCに届くデータ量が予め設定された閾値を超えるという条件を端末1が満たさなければ、これによって、端末1は第1の端末でない。
【００９９】
S420．第1の端末によって送信されるCQIを基地局が受信する。
【０１００】
S430．基地局が複数のスケジューリングサブフレームを複数のサブフレームグループに分割する。
【０１０１】
特に、剰余演算に基づいて調整期間内に複数のスケジューリングサブフレームを基地局がグループ化してもよい。特定の実現例において、本発明の本実施形態では、基地局がスケジューリングサブフレームに剰余演算を実行するのに法として40を用い、同じ剰余結果値を有するサブフレーム番号に対応するサブフレームを1グループに付加してもよく、これにより、40個のサブフレームグループを取得することができる。40個のサブフレームグループ中のサブフレームの各グループが少なくとも1つのスケジューリングサブフレームを含んでもよい。
【０１０２】
さらに、基地局が第1の端末のスケジューリングのためのサブフレームを決定した後、基地局はサブフレームのサブフレーム番号の40による剰余によって、サブフレームが属するサブフレームグループを取得することができる。特定の剰余アルゴリズムについては、前述の説明を参照する。
【０１０３】
S440．基地局がスケジューリングサブフレームを初期化する。
【０１０４】
本ステップでは、S430での分割を通じて取得される40個のサブフレームグループのすべてを第1のサブフレームセットに向けて基地局が初期化してもよい。この場合、第2のサブフレームセットは空のセットであってもよい。本発明の本実施形態では、第1のサブフレームセットを低干渉サブフレームセットとして適用することもでき、第2のサブフレームセットを高干渉サブフレームセットとして適用することもできると当然解する。
【０１０５】
本発明の本実施形態では、初期化後、複数のスケジューリングサブフレームを第1のサブフレームセットと第2のサブフレームセットとに基地局が分割し、第1のサブフレームセットと第2のサブフレームセットとは、異なるCQI調整量に対応すると当然解する。一実現例では、初期化後、第1のサブフレームセットのCQI調整量をオリジナルのCQI調整量を用いて初期化し、第2のサブフレームセットに対応するCQI調整量を0に初期化してもよい。
【０１０６】
S450．基地局がサブフレームセット中のサブフレームを調整する。
【０１０７】
本ステップでは、基地局がサブフレームセット中のサブフレームの調整期間を決定してもよく、調整期間は第1の端末の数倍の時間パラメータであってもよい。調整期間は第1の端末の数とともに変化し、第1の端末がスケジューリングサブフレームに基づいて十分なACK／NACKフィードバック情報を有することを確保することができる。たとえば、時間パラメータは320msであってもよい。基地局が1つの第1の端末とデータ伝送を実行するとき、調整期間は320msであってもよい。基地局が2つの第1の端末とデータ伝送を実行するとき、調整期間は640msであってもよい。
【０１０８】
本ステップでは、調整時期が到来する前に、各スケジューリングサブフレームに基づいて端末がデータを伝送した後、端末によってフィードバックされるACK／NACK情報に関する統計値を基地局が絶え間なく収集し、これにより、調整時期前の調整期間内の40個のサブフレームグループのBlerを取得することができ、調整時期前の調整期間内の第1のサブフレームセットおよび第2のサブフレームセットのBlerも取得することができる。各スケジューリングサブフレームのBlerの特定の計算方法は上述されている。出願書面を簡潔にするために、ここでは重ねて詳細を説明しない。
【０１０９】
本発明の本実施形態では、複数のスケジューリングサブフレームを40個のサブフレームグループに分割することは本発明の特定の実現例にすぎないと当然解する。40個のサブフレームグループの各々のBlerならびに第1のサブフレームセットおよび第2のサブフレームセットのBlerの計算方法は、各スケジューリングサブフレームの計算方法と同じであってもよい。言い換えれば、各サブフレームグループまたはサブフレームグループが位置するサブフレームセットのBlerの計算の際、スケジューリングサブフレームに基づいてサブフレームグループまたはサブフレームセット中ですべての端末によってフィードバックされるACK／NACK情報に関する統計値も収集してもよく、これにより、サブフレームグループまたはサブフレームセットのBlerが計算されて取得される。
【０１１０】
調整時期が到来するとき、第1のサブフレームセットのBlerが目標Bler＋5％を超える場合、Blerが30％を超える、第1のサブフレームセット中のサブフレームグループを第1のサブフレームセットから第2のサブフレームセットに置き換えてもよい。第2のサブフレームセットのBlerが目標Bler−5％を超える場合、Blerが0である、第2のサブフレームセット中のサブフレームグループを調整時期前の第2のサブフレームセットから第2のサブフレームセットに調整時期に置き換えてもよい。
【０１１１】
これとは別に、いくつかの実施形態では、サブフレームグループが属するサブフレームセットを変更すると判断するとき、サブフレームグループ中のサブフレームに基づいて端末がデータを伝送した後に端末によってフィードバックされるHARQの数をまず基地局が決定してもよい。サブフレームグループ中のサブフレームに基づいて端末がデータを伝送した後に端末によってフィードバックされるHARQの数が4以下である場合、サブフレームグループが属するサブフレームセットを変更することは許されない。
【０１１２】
これとは別に、いくつかの実施形態では、基地局が第1のサブフレームセット中のサブフレームグループの数をさらに限定してもよい。特定の実現例では、調整時期に、サブフレームグループが属するサブフレームセットを変更する場合、第1のサブフレームセット中のサブフレームグループの数が少なくとも10であることを基地局が指定してもよい。言い換えると、第1のサブフレームセット中のサブフレームグループの数が10未満である場合、調整時期に、第1のサブフレームセット中のサブフレームグループを第2のサブフレームセットに置き換えることを基地局が禁止してもよい。
【０１１３】
これとは別に、いくつかの実施形態では、第1のサブフレームセットから第2のサブフレームセットに置き換えられるサブフレームグループの数を基地局がさらに限定してもよい。たとえば、調整時期に、第1のサブフレームセット中でBler条件を満たす2つのサブフレームグループのみを第2のサブフレームセットに置き換えることを基地局が許可してもよい。当然、第2のサブフレームセットから第1のサブフレームセットに置き換えられるサブフレームグループの数も基地局が限定してもよい。たとえば、調整時期に、Bler条件を満たす1つのサブフレームグループのみを第1のサブフレームセットに置き換えることを基地局が許可してもよい。
【０１１４】
S460．基地局が第1の端末のスケジューリングのためのサブフレームを調整期間内に決定する。
【０１１５】
S470．第1の端末のスケジューリングのためのサブフレームを決定した後、サブフレームが属するサブフレームセットを基地局が決定する。
【０１１６】
特に、第1の端末のサブフレーム番号と、サブフレームが位置するフレームのフレーム番号とを基地局が用い、次の式、すなわちM＝10＊N＋nを用いて剰余演算を行うことになるデータを取得してもよい。
【０１１７】
40を法として剰余演算を行うことになるデータと剰余演算後に得られる値とに基づいて、サブフレームが位置するサブフレームグループを基地局が決定する。たとえば、第1の端末のスケジューリングのためのサブフレームのサブフレーム番号が9であり、サブフレームが位置するフレームのフレーム番号が9であると基地局が判断する場合、基地局が剰余演算を行った後に得られる値は19である。したがって、サブフレームは19番目のサブフレームグループ中のサブフレームであると基地局が判断することができる。
【０１１８】
サブフレームが19番目のサブフレームグループ中のサブフレームであると基地局が判断した後、19番目のサブフレームグループは現在の調整期間内の第1のサブフレームセットであると基地局が判断してもよい。サブフレームが属する19番目のサブフレームグループが現在の期間内の第2のサブフレームセットである場合もあると当然解する。これは本発明の本実施形態の説明のための本記載における例にすぎない。
【０１１９】
S480．第1の端末のスケジューリングのためのサブフレームが属するサブフレームセットに対応するCQI調整量に基づいて第1の端末によって報告されるCQIを基地局が調整する。
【０１２０】
S490．基地局が調整されたCQIに基づいて第1の端末のスケジューリングのためのMCSを決定する。
【０１２１】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１２２】
上記では、詳細に適応変調符号化の方法の実施形態を説明しているが、以下では、詳細に本発明の実施形態における適応変調符号化の基地局の実施形態を説明する。図5は本発明の実施形態に係る基地局の概略構成図である。図5の基地局500は、受信モジュール510、第1の決定モジュール520、第2の決定モジュール530、調整モジュール540および第3の決定モジュール550を含む。
【０１２３】
受信モジュール510は、第1の端末によって送信されるチャンネル品質指標（CQI）を受信するように構成されている。
【０１２４】
第1の決定モジュール520は、第1の端末のスケジューリングのためのサブフレームを決定するように構成されている。
【０１２５】
第2の決定モジュール530は、サブフレームが属するサブフレームセットを決定するように構成されており、このサブフレームセットは第1のサブフレームセットまたは第2のサブフレームセットであり、第1のサブフレームセットと第2のサブフレームセットとは、異なるCQI調整量に対応する。
【０１２６】
調整モジュール540は、サブフレームが属するサブフレームセットに対応するCQI調整量に基づいてCQIを調整するように構成されている。
【０１２７】
第3の決定モジュール550は、調整されたCQIに基づいて第1の端末のスケジューリングのための変調符号化方式（MCS）を決定するように構成されている。
【０１２８】
この適用例では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、本発明の本実施形態では、基地局が現在のセルで低干渉サブフレームの高い信号対ノイズ比を効率的に用いることができることにより、現在のセルのダウンリンクデータの伝送効率およびスループットが改善される。
【０１２９】
これとは別に、いくつかの実施形態では、CQIは、第1の端末によって推奨されるMCSをさらに含んでもよい。
【０１３０】
これとは別に、いくつかの実施形態では、上記とは異なり、CQIとMCSとの間のマッピングの予め設定されたテーブルに基づいてMCSを基地局が取得してもよい。
【０１３１】
これとは別に、いくつかの実施形態では、基地局が第1の端末とダウンリンクデータ伝送を実行するとき、ダウンリンクデータはラージパケットユーザデータであってもよいが、本発明はこれに限定されない。本発明の本実施形態では、ラージパケットユーザが長期間オンラインであり、ダウンリンクデータ伝送中に多数回用にスケジューリングされると当然解する。したがって、本発明の本実施形態における技術的解決手段を用いてより高いスループットゲインを得ることができる。
【０１３２】
これとは別に、いくつかの実施形態では、第1のサブフレームセットおよび第2のサブフレームセットは、予め分割を通じて取得されるセットであってもよい。
【０１３３】
これとは別に、いくつかの実施形態では、第1のサブフレームセットと第2のサブフレームセットとを調整期間に基づいて分割してもよい。調整期間が到来するときに、基地局が第1のサブフレームセットおよび第2のサブフレームセットを再分割してもよい。複数のスケジューリングサブフレームを第1のサブフレームセットと第2のサブフレームセットとに基地局によって分割する方法は、方法の実施形態で詳細に説明されている。ここでは重ねて詳細を説明しない。
【０１３４】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１３５】
これとは別に、いくつかの実施形態では、本発明の本実施形態における適応変調符号化のための基地局は、
複数のスケジューリングサブフレームを第1のサブフレームセットと第2のサブフレームセットとに分割するように構成されている分割モジュール
をさらに含んでもよい。
【０１３６】
これとは別に、いくつかの実施形態では、分割モジュールが第1の端末のスケジューリングのためのサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【０１３７】
これとは別に、いくつかの実施形態では、基地局は、
複数のスケジューリング済み端末の肯定応答（ACK）／否定応答（NACK）情報を取得するように構成される取得モジュール
をさらに含んでもよい。
【０１３８】
分割モジュールは、複数のスケジューリング済み端末のACK／NACK情報に基づいて複数のスケジューリングサブフレームを第1のサブフレームセットと第2のサブフレームセットとに分割するように特に構成される。
【０１３９】
これとは別に、いくつかの実施形態では、基地局は、
複数のスケジューリング済み端末のACK／NACK情報に基づいて複数のスケジューリングサブフレームの各々のブロックエラーレート（Bler）に関する統計値を収集するように構成される統計値収集モジュール
をさらに含んでもよい。
【０１４０】
分割モジュールは、複数のスケジューリングサブフレームの各々のBlerに基づいて複数のスケジューリングサブフレームを第1のサブフレームセットと第2のサブフレームセットとに分割するように特に構成される。
【０１４１】
これとは別に、いくつかの実施形態では、統計値収集モジュールは、
複数のスケジューリングサブフレームの各々のBlerに関する統計値を以下の式
【数５】
2019531650.tif 000007
を用いて収集する
ように特に構成され、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１４２】
これとは別に、いくつかの実施形態では、統計値収集モジュールは、
複数のスケジューリングサブフレームの各々のBlerに関する統計値を以下の式
【数６】
2019531650.tif 000008
を用いて収集する
ように特に構成され、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１４３】
これとは別に、いくつかの実施形態では、基地局の取得モジュールは、
調整時期が到来するときに、調整時期前の複数のスケジューリングサブフレームの各々のBlerを取得する
ようにさらに構成される。
【０１４４】
分割モジュールは、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセット中のサブフレームを調整するように特に構成される。
【０１４５】
これとは別に、いくつかの実施形態では、調整時期前の調整期間内に各スケジューリングサブフレームのBlerに関する統計値を基地局が収集すれば、調整期間は基地局とデータ伝送するラージパケットユーザの数に関係してもよい。
【０１４６】
これとは別に、いくつかの実施形態では、調整時期前の第1のサブフレームセットが第1のスケジューリングサブフレームを含み、基地局の取得モジュールは、
調整時期が到来するときに、調整時期前の第1のサブフレームセットのBlerを取得する
ようにさらに構成される。
【０１４７】
分割モジュールは、調整時期前の第1のサブフレームセットのBlerが第1の閾値を超え、かつ調整時期前の第1のサブフレームセット中の第1のスケジューリングサブフレームのBlerが第2の閾値を超える場合、第1のサブフレームセットおよび第2のサブフレームセットを取得するために、調整時期前の第1のサブフレームセットから調整時期前の第2のサブフレームセットに第1のサブフレームを調整時期に基地局によって置き換えるように特に構成される。
【０１４８】
これとは別に、いくつかの実施形態では、調整時期前の第2のサブフレームセットが第2のスケジューリングサブフレームを含み、基地局の取得モジュールは、
調整時期が到来するときに、調整時期前の第2のサブフレームセットのBlerを取得する
ようにさらに構成される。
【０１４９】
分割モジュールは、調整時期前の第2のサブフレームセットのBlerが第3の閾値を超え、かつ調整時期前の第2のサブフレームセット中の第2のサブフレームのBlerが第4の閾値以下である場合、第1のサブフレームセットおよび第2のサブフレームセットを取得するために、調整時期前の第2のサブフレームセットから調整時期前の第1のサブフレームセットに第2のサブフレームを調整時期に基地局によって置き換えるように特に構成される。
【０１５０】
図6は本発明の実施形態に係る基地局の概略ブロック図である。図6に示されている基地局600は、受信器620を含み、この受信器620はバス640を用いてプロセッサ610に接続してもよい。受信器620はデータまたは情報を受信するように構成され、メモリ630が実行可能指示を記憶する。装置が動作するとき、プロセッサ610はメモリ630と通信し、プロセッサ610はメモリ630中の実行可能指示を呼び出す。
【０１５１】
受信器620は、第1の端末によって送信されるチャンネル品質指標（CQI）を受信するように構成されている。
【０１５２】
プロセッサ610は、第1の端末のスケジューリングのためのサブフレームを決定するように構成されている。
【０１５３】
プロセッサ610は、サブフレームが属するサブフレームセットを決定するようにさらに構成されており、このサブフレームセットは第1のサブフレームセットまたは第2のサブフレームセットであり、第1のサブフレームセットと第2のサブフレームセットとは、異なるCQI調整量に対応する。
【０１５４】
プロセッサ610は、サブフレームが属するサブフレームセットに対応するCQI調整量に基づいてCQIを調整するようにさらに構成されている。
【０１５５】
プロセッサ610は、調整されたCQIに基づいて第1の端末のスケジューリングのための変調符号化方式（MCS）を決定するようにさらに構成されている。
【０１５６】
この適用例では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、本発明の本実施形態では、基地局が現在のセルで低干渉サブフレームの高い信号対ノイズ比を効率的に用いることができることにより、現在のセルのダウンリンクデータの伝送効率およびスループットが改善される。
【０１５７】
これとは別に、いくつかの実施形態では、CQIは、第1の端末によって推奨されるMCSをさらに含んでもよい。
【０１５８】
これとは別に、いくつかの実施形態では、上記とは異なり、CQIとMCSとの間のマッピングの予め設定されたテーブルに基づいてMCSを基地局が取得してもよい。
【０１５９】
これとは別に、いくつかの実施形態では、基地局が第1の端末とダウンリンクデータ伝送を実行するとき、ダウンリンクデータはラージパケットユーザデータであってもよいが、本発明はこれに限定されない。本発明の本実施形態では、ラージパケットユーザが長期間オンラインであり、ダウンリンクデータ伝送中に多数回用にスケジューリングされると当然解する。したがって、本発明の本実施形態における技術的解決手段を用いてより高いスループットゲインを得ることができる。
【０１６０】
これとは別に、いくつかの実施形態では、第1のサブフレームセットおよび第2のサブフレームセットは、予め分割を通じて取得されるセットであってもよい。
【０１６１】
これとは別に、いくつかの実施形態では、第1のサブフレームセットと第2のサブフレームセットとを調整期間に基づいて分割してもよい。調整期間が到来するときに、基地局が第1のサブフレームセットおよび第2のサブフレームセットを再分割してもよい。複数のスケジューリングサブフレームを第1のサブフレームセットと第2のサブフレームセットとに基地局によって分割する方法は、方法の実施形態で詳細に説明されている。ここでは重ねて詳細を説明しない。
【０１６２】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１６３】
これとは別に、いくつかの実施形態では、プロセッサ610は、
複数のスケジューリングサブフレームを第1のサブフレームセットと第2のサブフレームセットとに分割する
ように構成される。
【０１６４】
これとは別に、いくつかの実施形態では、分割モジュールが第1の端末のスケジューリングのためのサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【０１６５】
これとは別に、いくつかの実施形態では、プロセッサ610は、複数のスケジューリング済み端末の肯定応答（ACK）／否定応答（NACK）情報を取得し、複数のスケジューリング済み端末のACK／NACK情報に基づいて複数のスケジューリングサブフレームを第1のサブフレームセットと第2のサブフレームセットとに分割するようにさらに構成される。
【０１６６】
これとは別に、いくつかの実施形態では、プロセッサ610は、複数のスケジューリング済み端末のACK／NACK情報に基づいて複数のスケジューリングサブフレームの各々のブロックエラーレート（Bler）に関する統計値を収集し、複数のスケジューリングサブフレームの各々のBlerに基づいて複数のスケジューリングサブフレームを第1のサブフレームセットと第2のサブフレームセットとに分割するようにさらに構成される。
【０１６７】
これとは別に、いくつかの実施形態では、プロセッサ610は、複数のスケジューリングサブフレームの各々のBlerに関する統計値を以下の式
【数７】
2019531650.tif 000009
を用いて収集してもよく、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１６８】
これとは別に、いくつかの実施形態では、プロセッサ610は、複数のスケジューリングサブフレームの各々のBlerに関する統計値を以下の式
【数８】
2019531650.tif 000010
を用いて収集してもよく、
ここで、Bler（i）は予め設定された時間内の複数のスケジューリングサブフレーム中の第iのサブフレームのBlerを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１６９】
これとは別に、いくつかの実施形態では、プロセッサ610は、調整時期が到来するときに、調整時期前の複数のスケジューリングサブフレームの各々のBlerを取得し、第1のサブフレームセットおよび第2のサブフレームセットを取得するために、調整時期前の複数のスケジューリングサブフレームの各々のBlerに基づいて調整時期前の第1のサブフレームセットおよび第2のサブフレームセット中のサブフレームを調整するようにさらに構成される。
【０１７０】
これとは別に、いくつかの実施形態では、調整時期前の調整期間内に各スケジューリングサブフレームのBlerに関する統計値を基地局が収集すれば、調整期間は基地局とデータ伝送するラージパケットユーザの数に関係してもよい。
【０１７１】
これとは別に、いくつかの実施形態では、調整時期前の第1のサブフレームセットが第1のスケジューリングサブフレームを含み、プロセッサ610は、
調整時期が到来するときに、調整時期前の第1のサブフレームセットのBlerを取得し、
調整時期前の第1のサブフレームセットのBlerが第1の閾値を超え、かつ調整時期前の第1のサブフレームセット中の第1のスケジューリングサブフレームのBlerが第2の閾値を超える場合、第1のサブフレームセットおよび第2のサブフレームセットを取得するために、調整時期前の第1のサブフレームセットから調整時期前の第2のサブフレームセットに第1のサブフレームを調整時期に基地局によって置き換える
ようにさらに構成される。
【０１７２】
これとは別に、いくつかの実施形態では、調整時期前の第2のサブフレームセットが第2のスケジューリングサブフレームを含み、プロセッサ610は、
調整時期が到来するときに、調整時期前の第2のサブフレームセットのBlerを取得し、
調整時期前の第2のサブフレームセットのBlerが第3の閾値を超え、かつ調整時期前の第2のサブフレームセット中の第2のサブフレームのBlerが第4の閾値以下である場合、第1のサブフレームセットおよび第2のサブフレームセットを取得するために、調整時期前の第2のサブフレームセットから調整時期前の第1のサブフレームセットに第2のサブフレームを調整時期に基地局によって置き換える
ようにさらに構成される。
【０１７３】
当業者であれば、この明細書に開示されている実施形態に記載されている例と考えあわせて、ユニットおよびアルゴリズムステップが電子ハードウェアまたはコンピュータソフトウェアと電子ハードウェアとの組み合わせによって実行し得ることに想到する。機能がハードウェアまたはソフトウェアによって実行されるか否かは、特定のアプリケーションおよび技術的解決手段の設計制約条件に依存する。その際の用途毎に説明されている機能を実施するのに異なる方法を当業者は用いることができるが、実施が本発明の範囲を越えると考えるべきではない。
【０１７４】
便宜的かつ簡潔に説明するために、前述のシステム、装置およびユニットの詳細な動作プロセスについては、前述の方法の実施形態における対応するプロセスを参照してもよいことは当業者によって明確に理解されると考えられ、ここでは重ねて詳細を説明しない。
【０１７５】
本出願において提供されているいくつかの実施形態では、開示されているシステム、装置および方法を他の手法で実施してもよいと解するべきである。たとえば、説明されている装置の実施形態は例にすぎない。たとえば、ユニットの分割は論理的機能の分割にすぎず、実際の実現例ではその他の分割であってもよい。たとえば、複数のユニットまたは構成要素を組み合わせたり別のシステムに組み入れたりしてもよいし、いくつかの特徴を省略してもよいし、実行しなくてもよい。これに加えて、表示されたり説明されたりしている相互連結または直接連結または通信接続をいくつかのインタフェースを用いて実施してもよい。装置またはユニット間の間接的連結または通信接続を電気的、機械的または他の形態で実施してもよい。
【０１７６】
別体の部分として説明されているユニットを物理的に分離してもよいし、しなくてもよし、また、ユニットとして表示されている部分は物理的なユニットであってもよいし、でなくてもよいし、1つの位置に位置してもよいし、複数のネットワークユニットに分散してもよい。実際の要求に基づいて、ユニットのいくつかまたはすべてを選択して、実施形態の解決手段の目的を達成してもよい。
【０１７７】
これに加えて、本発明の実施形態における機能ユニットを1つの処理ユニットに統合してもよいし、ユニットの各々が物理的に単独で存在してもよいし、あるいは、2つ以上のユニットが1つのユニットに統合される。
【０１７８】
機能がソフトウェア機能ユニットの形態で実施されて独立した製品として販売または使用される場合、機能をコンピュータ可読記憶媒体に記憶してもよい。このような理解に基づけば、実質的に本発明の技術的解決手段または先行技術に貢献している部分または技術的解決手段のいくつかをソフトウェア製品の形態で実施してもよい。コンピュータソフトウェア製品は記憶媒体に記憶され、本発明の実施形態で説明されている方法のステップのすべてまたはいくつかを実行するようにコンピュータデバイス（パーソナルコンピュータ、サーバ、ネットワークデバイスなどであってもよい）に指示するいくつかの指示を含む。前述の記憶媒体は、USBフラッシュドライブ、リムーバブルハードディスク、読出し専用メモリ（ROM、Read-Only Memory）、ランダムアクセスメモリ（RAM、Random Access Memory）、磁気ディスクまたは光ディスクなどの、プログラムコードを記憶することができる任意の媒体を含む。
【０１７９】
前述の説明は本発明の特定の実現例にすぎず、本発明の保護範囲を限定することを意図しない。本発明において開示されている技術的範囲の当業者によって容易に理解されるいずれの変形または置換も本発明の保護範囲に含まれる。したがって、本発明の保護範囲は請求項の保護範囲の対象になる。
【符号の説明】
【０１８０】
100  無線通信システム
110  ネットワークデバイス
120  端末
500  基地局
510  受信モジュール
520  第1の決定モジュール
530  第2の決定モジュール
540  調整モジュール
550  第3の決定モジュール
600  基地局
610  プロセッサ
620  受信器
630  メモリ
640  バス
【図１】
2019531650.tif 000013
【図２】
2019531650.tif 000014
【図３】
2019531650.tif 000015
【図４】
2019531650.tif 000016
【図５】
2019531650.tif 000017
【図６】
2019531650.tif 000018
【手続補正書】
【提出日】平成31年4月22日(2019.4.22)
【手続補正１】
【補正対象書類名】明細書
【補正対象項目名】全文
【補正方法】変更
【補正の内容】
【発明の詳細な説明】
【技術分野】
【０００１】
本発明は通信分野に関し、特に適応変調符号化方法および基地局に関する。
【背景技術】
【０００２】
データサービスに対する世間のますます高まる要求を満たすために、第3世代パートナーシッププロジェクト（3GPP、3rd Generation Partnership Project）は「ロングタームエボリューション（LTE、Long Term Evolution）プロジェクト」に乗り出している。LTEプロジェクトは、進化し続けている3Gシステムを用いてより強力なデータサービスサポートを提供して、ユーザに優れたサービスを提供することを意図している。LTEシステムのキーテクノロジはスケジューリングならびに適応変調符号化技術を含む。
【０００３】
先行技術では、ユーザ端末によって報告されるチャンネル品質指標（Channel quality indicator、CQI）を適応変調符号化（Adaptive Modulation and Coding、AMC）機構を用いて絶え間なく調整し、変調符号化方式（Modulation and Coding Scheme、MCS）を肯定応答（Acknowledgement、ACK）／否定応答（Negative Acknowledgement、NACK）情報と目標ブロックエラーレートとを用いて動的に調整し、これにより、UEのダウンリンクデータブロックレート（Block Error Rate、BLER）が目標値に収束する。AMC機構におけるCQI調整アルゴリズムの式は、
【数１】
2019531650.tif 000019
であり、ここで、FinalDLCqiAdjStepOfBLERは調整ステップであって、デフォルト値は0.1であってもよく、BLERTargetは目標ブロックエラーレートであって、デフォルト値は10％であってもよく、BLERMeasはブロックエラーレートの測定値であり、NACKを受信する場合、BLERMeasは1であり、ACKを受信する場合、BLERMeasは0である。
【０００４】
しかし、実際のネットワークでは、サービングセルに対する隣接セルの干渉がリアルタイムに変化する。特にパイロットブレイシング（pilot breathing）アルゴリズムを有効にした後は、ネットワークに対する干渉がたびたび変化する。既存のAMC機構はサービングセルに対する干渉のリアルタイム変化に適応することができない。したがって、サブフレームのデータ伝送のためのMCSはサービングセルにおいて隣接セルによってわずかにしか干渉を受けないが、このMCSは、主に、深刻に干渉を受けるサブフレームに左右される。このことは、ネットワークシステムのデータ伝送効率およびスループットに影響を及ぼす。
【発明の概要】
【課題を解決するための手段】
【０００５】
本出願では、ネットワークシステムのデータ伝送効率およびスループットを改善する適応変調符号化方法および基地局を提案する。
【０００６】
第1の態様に係れば、適応変調符号化方法が提供され、方法は、基地局により、第1の端末によって送信されるチャンネル品質指標（CQI）を受信するステップと、基地局により、第1の端末のスケジューリングのためのサブフレームを決定するステップと、基地局により、サブフレームが属するサブフレームセットを決定するステップであって、サブフレームセットは第1のサブフレームセットまたは第2のサブフレームセットであり、第1のサブフレームセットと第2のサブフレームセットとは、異なるCQI調整量に対応する、ステップと、基地局により、サブフレームが属するサブフレームセットに対応するCQI調整量に基づいてCQIを調整するステップと、基地局により、調整されたCQIに基づいて第1の端末のスケジューリングのための変調符号化方式（MCS）を決定するステップと含む。
【０００７】
この解決手段では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、基地局が現在のセルで低干渉サブフレームの高い信号対ノイズ比を効率的に用いることができることにより、ネットワークシステムのダウンリンクデータの伝送効率およびスループットが改善される。これに加えて、先行技術と比較して、端末によって報告されるCQIを柔軟に調整することができることにより、システム柔軟性が改善される。
【０００８】
第1の態様に関して、第1の態様のいくつかの実現例では、方法は、基地局により、複数のスケジューリングサブフレームを第1のサブフレームセットと第2のサブフレームセットとに分割するステップをさらに含む。
【０００９】
第1の態様に関して、第1の態様のいくつかの実現例では、基地局により、複数のスケジューリングサブフレームを第1のサブフレームセットと第2のサブフレームセットとに分割するステップは、基地局により、複数のスケジューリング済み端末の肯定応答（ACK）／否定応答（NACK）情報を取得するステップと、基地局により、複数のスケジューリング済み端末のACK／NACK情報に基づいて複数のスケジューリングサブフレームを第1のサブフレームセットと第2のサブフレームセットとに分割するステップとを含む。
【００１０】
この解決手段では、基地局は、複数のスケジューリング済み端末のACK／NACK情報に基づいて複数のスケジューリングサブフレームを第1のサブフレームセットと第2のサブフレームセットとに分割してもよく、端末が隣接セルから来て位置するサービングセルの隣接セルのサブフレームのデータベアラ状態を取得する必要がなく、これにより、システム柔軟性および解決手段実施可能性が改善される。
【００１１】
第1の態様に関して、第1の態様のいくつかの実現例では、基地局により、複数のスケジューリング済み端末のACK／NACK情報に基づいて複数のスケジューリングサブフレームを第1のサブフレームセットと第2のサブフレームセットとに分割するステップは、基地局により、複数のスケジューリング済み端末のACK／NACK情報に基づいて複数のスケジューリングサブフレームの各々のブロックエラーレート（BLER）に関する統計値を収集するステップと、基地局により、複数のスケジューリングサブフレームの各々のBLERに基づいて複数のスケジューリングサブフレームを第1のサブフレームセットと第2のサブフレームセットとに分割するステップとを含む。
【００１２】
第1の態様に関して、第1の態様のいくつかの実現例では、基地局により、複数のスケジューリングサブフレームの各々のBLERに基づいて複数のスケジューリングサブフレームを第1のサブフレームセットと第2のサブフレームセットとに分割するステップは、調整時期が到来するときに、基地局により、調整時期前の複数のスケジューリングサブフレームの各々のBLERを取得するステップと、基地局により、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを調整するステップとを含む。
【００１３】
この解決手段では、基地局が調整時期前の調整期間内に各スケジューリングサブフレームのBLERに関する統計値を収集して、スケジューリングサブフレームのBLERに基づいて、調整時期前の調整期間内の第1のサブフレームセットおよび第2のサブフレームセットを調整してもよく、これにより、スケジューリングサブフレームが属するサブフレームセットを動的に変更することができることで、システム柔軟性が改善される。
【００１４】
第1の態様に関して、第1の態様のいくつかの実現例では、調整時期前の第1のサブフレームセットは第1のスケジューリングサブフレームを含み、基地局により、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを調整するステップは、調整時期が到来するときに、基地局により、調整時期前の第1のサブフレームセットのBLERを取得するステップと、調整時期前の第1のサブフレームセットのBLERが第1の閾値を超え、かつ調整時期前の第1のサブフレームセット中の第1のサブフレームのBLERが第2の閾値を超える場合、基地局により、第1のサブフレームセットおよび第2のサブフレームセットを取得するために、調整時期に、第1のスケジューリングサブフレームを調整時期前の第1のサブフレームセットから調整時期前の第2のサブフレームセットに置き換えるステップとを含む。
【００１５】
第1の態様に関して、第1の態様のいくつかの実現例では、調整時期前の第2のサブフレームセットは第2のスケジューリングサブフレームを含み、基地局により、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを調整するステップは、調整時期が到来するときに、基地局により、調整時期前の第2のサブフレームセットのBLERを取得するステップと、調整時期前の第2のサブフレームセットのBLERが第3の閾値を超え、かつ調整時期前の第2のサブフレームセット中の第2のサブフレームのBLERが第4の閾値以下である場合、基地局により、第1のサブフレームセットおよび第2のサブフレームセットを取得するために、調整時期に、第2のスケジューリングサブフレームを調整時期前の第2のサブフレームセットから調整時期前の第1のサブフレームセットに置き換えるステップとを含む。
【００１６】
第1の態様に関して、第1の態様のいくつかの実現例では、基地局により、複数のスケジューリング済み端末のACK／NACK情報に基づいて複数のスケジューリングサブフレームの各々のブロックエラーレート（BLER）に関する統計値を収集するステップは、基地局により、複数のスケジューリングサブフレームの各々のBLERに関する統計値を以下の式
【数２】
2019531650.tif 000020
を用いて収集するステップであって、
BLER（i）は、予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す、ステップを含む。
【００１７】
第1の態様に関して、第1の態様のいくつかの実現例では、第1の端末は、受信した、1秒あたりに無線リンク制御（Radio Link Control、RLC）に届くデータ量が予め設定された閾値を超える端末である。
【００１８】
第2の態様に係れば、第1の態様または第1の態様の実現例のいずれか1つに記載の方法を実行するユニットまたはモジュールを含む基地局が提供される。
【００１９】
第3の態様に係れば、受信器、メモリおよびプロセッサを含む基地局が提供され、メモリはプログラムを記憶するように構成され、プロセッサはプログラムを実行するように構成される。プログラムが実行されるとき、プロセッサは、第1の態様または第1の態様のいずれかの実現例に記載の方法を実行するように特に構成される。
【００２０】
第4の態様に係れば、コンピュータ可読媒体が提供される。コンピュータ可読媒体はプログラムコードを記憶するように構成され、プログラムコードは、第1の態様または第1の態様の実現例のいずれか1つに記載の方法を実行するための指示を含む。
【００２１】
本発明の実施形態における技術的解決手段をより明確に説明するために、以下、本発明の実施形態を説明するのに必要な添付の図面を簡単に説明する。以下の説明中の添付の図面は、本発明のいくつかの実施形態を示すだけにすぎず、当業者が創造的な努力なしにこれらの添付の図面からさらに他の図面を導き出すことができることは明らかである。
【図面の簡単な説明】
【００２２】
【図１】本発明の実施形態に係る通信システムの概略図である。
【図２】本発明の実施形態に係る適応変調符号化方法の概略フローチャートである。
【図３】パイロットブレイシングを有効にした後の軽負荷にあるサービングセルに対する干渉の変化の概略図である。
【図４】本発明の別の実施形態に係る適応変調符号化方法の詳細フローチャートである。
【図５】本発明の実施形態に係る基地局の概略ブロック図である。
【図６】本発明の別の実施形態に係る基地局の概略構成図である。
【発明を実施するための形態】
【００２３】
以下では、本発明の実施形態における添付の図面を参照して本発明の実施形態における技術的解決手段を明確に説明する。説明されている実施形態は、本発明の実施形態の一部にしかすぎず、すべてではないことは明らかである。創造的な努力なしに本発明の実施形態に基づいて当業者によって得られる他のすべての実施形態が本発明の保護範囲に含まれる。
【００２４】
本発明の技術的解決手段を様々な通信システム、たとえば、ロングタームエボリューション（Long Term Evolution、略してLTE）システムおよび将来の5G通信システムに適用してもよいと当然解する。
【００２５】
LTEシステムについては、異なるフレームが異なる複信モードに対して定められると当然解する。たとえば、時分割複信（Time Division Duplex、TDD）通信システムでは、無線フレームの長さは10ミリ秒（ms）であり、5msの長さを有する2つのハーフフレームを含む。各ハーフフレームは1msの長さを有する5つのサブフレームを含む。言い換えると、無線フレーム全体は、1msの長さを有する10個のサブフレームに分割される。別の例について、周波数分割複信（Frequency Division Duplex、FDD）通信システムでは、10msの各無線フレームが1msの10個のサブフレームに分割される。各サブフレームは2つのスロットを含み、各スロットは0.5msであって、いくつかの物理リソースブロック（Physical Resource Block、PRB）を含んでもよい。
【００２６】
図1は、本発明の実施形態に適用することができる通信システム100の概略図である。通信システム100は、少なくとも1つのネットワークデバイス1101、たとえば、基地局や基地局コントローラを含んでもよい。各ネットワークデバイス1101は、特定の地理的エリアに対する通信カバレッジを提供することができ、カバレッジエリア（セル）内の端末（たとえばUE）と通信することができる。ネットワークデバイス1101は、LTEシステムの発展型NodeB（evolved NodeB、略して「eNB」または「eNodeB」）や、クラウド無線アクセスネットワーク（Cloud Radio Access Network、略して「CRAN」）の無線コントローラであってもよい。これの代わりに、ネットワークデバイスは、中継局、アクセスポイント、車内デバイス、ウェアラブルデバイス、将来の5Gネットワークのネットワーク側デバイス、将来の発展型公衆地上モバイルネットワーク（Public Land Mobile Network、略して「PLMN」）のネットワークデバイスなどであってもよい。
【００２７】
通信システム100は、ネットワークデバイス1101のカバレッジエリア内の複数の端末120をさらに含む。複数の端末は異なる規格の端末であってもよい。たとえば、図1に示されている2つの端末はそれぞれ4G端末および5G端末であってもよい。図1は1つのネットワークデバイスと2つの端末とを図示している。これとは別に、通信システム100は複数のネットワークデバイスを含んでもよく、各ネットワークデバイスのカバレッジエリア内に別の数の端末が存在してもよい。これは本発明の本実施形態において限定されない。
【００２８】
端末は、モバイル端末（Mobile Terminal）、モバイルユーザ端末などと称する場合もあるユーザ端末（User Equipment、略して「UE」）を含んでもよく、無線アクセスネットワーク（たとえばRadio Access Network、略して「RAN」）を用いて1つ以上のコアネットワークと通信してもよいと当然さらに解する。ユーザ端末は携帯電話器（または「セルラ」電話器と称する）などのモバイル端末またはモバイル端末を有するコンピュータであってもよく、たとえば、音声および／またはデータを無線アクセスネットワークと交換するポータブルポケットサイズモバイル装置、携帯型モバイル装置、コンピュータ内蔵モバイル装置または車内モバイル装置であってもよい。
【００２９】
これとは別に、通信システム100は、ネットワークコントローラおよびモビリティマネージメントエンティティ（mobility management entity）などの他のネットワークエンティティをさらに含んでもよい。これは本発明の本実施形態において限定されない。
【００３０】
図2は、本発明の実施形態に係る適応変調符号化方法の概略フローチャートである。図2に示されている方法を基地局によって実行してもよい。方法は以下のステップを含む。
【００３１】
S210．第1の端末によって送信されるCQIを基地局が受信する。
【００３２】
特に、本発明の本実施形態では、基地局が第1の端末にダウンリンクデータを送信する必要がある場合、基地局が第1の端末にセル固有参照信号（Cell-Specific Reference Signal、CRS）を送信し、第1の端末がCRSに基づいてCQIを生成して、CQIを基地局に送信してもよい。
【００３３】
これとは別に、いくつかの実施形態では、CQIは、第1の端末によって推奨されるMCSをさらに含んでもよい。
【００３４】
これとは別に、いくつかの実施形態では、上記とは異なり、CQIとMCSとの間のマッピングの予め設定されたテーブルに基づいてMCSを基地局が取得してもよい。
【００３５】
S220．基地局が第1の端末のスケジューリングのためのサブフレームを決定する。
【００３６】
特に、第1の端末によって送信されるCQIを受信した後、CQIに基づいて、ポリシを用いて、基地局が第1の端末にダウンリンクリソースを割り付けてもよい。たとえば、第1の端末によって報告されるCQIに基づいて、第1の端末のスケジューリングのためのサブフレーム（たとえば、フレーム番号が10であるフレーム中のサブフレーム3）とチャンネル品質に適用可能なMCSとを基地局が決定してもよい。
【００３７】
これとは別に、いくつかの実施形態では、第1の端末はラージパケットユーザ端末であってもよく、サブフレームを用いて基地局と第1の端末との間で伝送されるデータがラージパケットユーザデータであってもよい。特に、ラージパケットユーザ端末は長期間オンラインであり、ダウンリンクデータ伝送中に多数回用にスケジューリングされる。したがって、サブフレームセットを分割してサブフレームセットに対応するCQI調整量を管理する、本発明の本実施形態において提供される解決手段を用いて高いスループットゲインを取得することができる。
【００３８】
特に、本発明の本実施形態では、端末とのデータ伝送を実行する前、端末がラージパケットユーザ端末であるか否かを基地局が最初に特定してもよい。特に、本発明の本実施形態では、1秒あたりに無線リンク制御（Radio Link Control、RLC）に届く端末のデータ量が予め設定された閾値を超える場合に基地局が端末をラージパケットユーザ端末と特定してもよい。予め設定された閾値の値は本発明の本実施形態において特に限定されないと当然解する。たとえば、伝送予定データ量が0である場合、予め設定された閾値は1250000バイト（byte）であってもよい。言い換えると、1秒あたりにRLCに届く端末のデータ量が1250000byteを超える場合に基地局が端末をラージパケットユーザ端末と特定する。別の例については、伝送予定データ量が0でない場合、予め設定された閾値は、Min｛伝送予定データ量＊1000／8byte、1250000byte｝であってもよく、ここで、Min｛伝送予定データ量＊1000／8byte、1250000byte｝は、予め設定された閾値が伝送予定データ量＊1000／8byteと1250000byteとで小さい方の値であることを示す。
【００３９】
S230．サブフレームが属するサブフレームセットを基地局が決定し、このサブフレームセットは第1のサブフレームセットまたは第2のサブフレームセットであり、第1のサブフレームセットと第2のサブフレームセットとは、異なるCQI調整量に対応する。
【００４０】
本発明の本実施形態では、基地局は、第1のサブフレームセットおよび第2のサブフレームセットにそれぞれ対応するCQI調整量を別々に管理する。これは先行技術と比較してより柔軟である。異なるサブフレームセットに対して異なるCQI調整量を管理することにより、ネットワークシステムのデータ伝送効率およびスループットを改善する。たとえば、高干渉が低干渉と交互に生じる図3に示されている例では、高干渉サブフレームが第1のサブフレームセットを構成し、低干渉サブフレームが第2のサブフレームセットを構成する。したがって、2セット中のサブフレームのスケジューリングを異なるCQI調整量を用いて調整し、ネットワークシステムのデータ伝送効率およびスループットを比較的大きく改善することができる。以下、詳細を説明する。
【００４１】
端末によって送信されたNACKを基地局が受信する場合には、CQI調整量が、ACKを受信したときのCQI調整量の約10倍であることが、上述したAMC機構におけるCQI調整アルゴリズムから分かる。したがって、隣接セルによってシステムメッセージを送信するためのサブフレームの割合が、AMC機構によって指定されるBLER目標値を超える。言い換えると、隣接セルのサブフレームの10％超が強い干渉を有する。AMC機構を用いて計算されるCQI調整量が、主に、高干渉サブフレームのこの割合でのチャンネル品質に左右され、基地局によって最後に選択されるMCSも、主に、高干渉サブフレームのこの割合でのチャンネル品質に左右される。したがって、端末を干渉がないか干渉の低いサブフレームにおいてスケジューリングする場合であっても、端末のスケジューリングのために選択されるMCSは比較的低い次数（order）を有する。この結果、低干渉サブフレームの高い信号対ノイズ比（Signal-to-Noise Ratio、SNR）の特性を反映することができず、サービングセルのスループットが低下する。
【００４２】
したがって、いくつかの実施形態では、スケジューリングサブフレームを隣接セルの干渉状態に基づいて第1のサブフレームセットと第2のサブフレームセットとに分割してもよい。第1のサブフレームセットは第2のサブフレームセットよりも小さい隣接セルの干渉を受ける。したがって、第1のサブフレームセットを低干渉サブフレームセットとも称する場合があり、第2のサブフレームセットを高干渉サブフレームセットとも称する場合がある。基地局が低干渉サブフレームセットおよび高干渉サブフレームセットのそれぞれのCQI調整量を管理することによって、1セットのCQI調整量しか用いられないために低干渉サブフレームの高い信号対ノイズ比を反映することができない先行技術の課題が回避され、セルのスループットが改善される。
【００４３】
サブフレームセットの分割時期および分割手法は本発明の本実施形態において特に限定されない点に留意するべきである。たとえば、サブフレームを第1のサブフレームセットと第2のサブフレームセットとに直接分割するのに不変の分割手法を用いてもよい。
【００４４】
これとは別に、いくつかの実施形態では、第1のサブフレームセットと第2のサブフレームセットとを調整期間に基づいて分割してもよい。調整期間が到来するときに、基地局は複数のスケジューリングサブフレームを第1のサブフレームセットと第2のサブフレームセットとに再分割してもよい。基地局が複数のスケジューリングサブフレームを第1のサブフレームセットと第2のサブフレームセットとに分割する手法は詳細に後述されることになるが、ここでは詳細は説明しない。
【００４５】
S240．サブフレームが属するサブフレームセットに対応するCQI調整量に基づいてCQIを基地局が調整する。
【００４６】
S250．基地局が調整されたCQIに基づいて第1の端末のスケジューリングのための変調符号化方式（MCS）を決定する。
【００４７】
特に、本発明の本実施形態では、第1の端末のスケジューリングのためのサブフレームが属するサブフレームセットに対応するCQI調整量に基づいて、第1の端末によって報告されるCQIを基地局が調整し、これにより、調整されたCQIに基づいて、第1の端末のスケジューリングのための変調符号化方式（MCS）を決定してもよい。たとえば、本発明の本実施形態では、第1のサブフレームセットに対応するCQI調整量は2であってもよく、第2のサブフレームセットに対応するCQI調整量は−1であってもよく、第1の端末によって報告され、基地局が受信したCQIは3である。第1の端末のスケジューリングのためのサブフレームが第1のサブフレームセットに属すると基地局が決定する場合、第1の端末のスケジューリングのための調整されたCQIが5であると基地局が決定してもよく、基地局は調整されたCQI（すなわち、5の値を有するCQI）に基づいて第1の端末のスケジューリングのためのMCSを決定してもよい。当然、第1の端末のスケジューリングのためのサブフレームが第2のサブフレームセットに属すると基地局が決定する場合、第1の端末のスケジューリングのための調整されたCQIが2であると基地局が決定してもよく、基地局は調整されたCQI（すなわち、2の値を有するCQI）に基づいて第1の端末のスケジューリングのためのMCSを決定してもよい。
【００４８】
本発明の本実施形態における提供される適応変調符号化方法に係れば、第1の端末のスケジューリングのためのサブフレームが属するサブフレームセットを基地局が決定して、サブフレームセットに対応するCQI調整量に基づいて第1の端末によって報告されるCQIを基地局が調整してもよい。これは先行技術と比較してより柔軟である。
【００４９】
これとは別に、いくつかの実施形態では、第1の端末のスケジューリングのためのサブフレーム中で送信されるACK／NACK情報に基づいて、第1の端末のスケジューリングのためのサブフレームが属するサブフレームセットに対応するCQI調整量を基地局が調整してもよい。
【００５０】
特に、本発明の本実施形態では、第1の端末のスケジューリングのためのサブフレームが属するサブフレームセットを基地局が決定すると、サブフレームを用いて第1の端末とのダウンリンクデータ伝送を基地局が実行し、サブフレーム中で伝送されるデータのACK／NACK情報を端末が基地局にフィードバックしてもよい。ACK／NACK情報を受信した後、基地局がAMC機構を用いて、サブフレームが属するサブフレームセットに対応するCQI調整量を調整してもよい。
【００５１】
これとは別に、いくつかの実施形態では、本発明の本実施形態における適応変調符号化方法は、
複数のスケジューリングサブフレームを第1のサブフレームセットと第2のサブフレームセットとに基地局によって分割するステップ
をさらに含んでもよい。
【００５２】
本発明の本実施形態では、複数のスケジューリングサブフレームが複数の端末のスケジューリングのためのサブフレームであってもよいし、1つの端末のスケジューリングのためのサブフレームであってもよい点に留意するべきである。
【００５３】
これとは別に、いくつかの実施形態では、隣接セルに対応する基地局の指標情報を基地局が受信してもよく、基地局が指標情報に基づいて複数のスケジューリングサブフレームを第1のサブフレームセットと第2のサブフレームセットとに分割してもよい。指標情報は第1の端末のセルに対する隣接セルの干渉の状態を示してもよく、すなわち、指標情報は複数のスケジューリングサブフレームの分割手法を示す。本発明の本実施形態では、指標情報を隣接セルに対応する基地局から直接受信し、複数のスケジューリングサブフレームを指標情報に基づいて直接分割する。分割手法は実施容易であり、動作するのに都合がよい。
【００５４】
これとは別に、いくつかの実施形態では、基地局が第1の端末のサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【００５５】
本発明の本実施形態では、基地局が第1の端末のスケジューリングのためのサブフレームを決定し、サブフレームをサービングセルでのサブフレームとして適用してもよく、サービングセルが少なくとも1つの隣接セルを有してもよいと当然解する。
【００５６】
データベアラ状態が、データを搬送しない、小データ量を搬送、比較的大データ量を搬送などを含んでもよいと当然解する。たとえば、無効であるサブフレーム（たとえば、番号が2および3であるサブフレーム）のデータベアラ状態はデータを搬送しない状態であってもよく、番号が0であり、同報送信メッセージを搬送するサブフレームのデータベアラ状態は比較的大データ量を搬送であってもよく、無効でないサブフレーム（たとえば、番号が1および4であるサブフレーム）のデータベアラ状態は小データ量を搬送であってもよい。
【００５７】
さらに、隣接セルのサブフレームのデータベアラ状態が、サブフレームが大データ量を搬送することを示す場合、サービングセルに対するサブフレームの干渉のレベルは高いと当然解する。言い換えると、隣接セルのサブフレームのデータベアラ状態は、サービングセルに対する隣接セルのサブフレームの干渉のレベルを間接的に示すこともできる。
【００５８】
たとえば、番号が0〜9である10個のサブフレームについては、サブフレームのデータベアラ状態は以下を含んでもよく、すなわち、番号が0であるサブフレームと番号が5であるサブフレームとは比較的大データ量を搬送し、番号が1であるサブフレーム、番号が4であるサブフレーム、および番号が9であるサブフレームは小データ量を搬送し、番号が2であるサブフレーム、番号が3であるサブフレーム、番号が6であるサブフレーム、番号が7であるサブフレーム、および番号が8であるサブフレームはデータを搬送しない。サービングセルに対する比較的大データ量を搬送するサブフレームの干渉のレベルは高干渉であり、サービングセルに対する小データ量を搬送するサブフレームの干渉のレベルは中干渉であり、サービングセルに対するデータを搬送しないサブフレームの干渉のレベルは低干渉である。
【００５９】
本発明の本実施形態では、第1の端末のサービングセルの隣接セルのサブフレームのデータベアラ状態またはサービングセルに対する隣接セルの干渉のレベルを用いて複数のスケジューリングサブフレームを第1のサブフレームセットと第2のサブフレームセットとに分割する場合、サービングセルおよび隣接セルが時間同期されたセルである必要がある点に留意するべきである。
【００６０】
これとは別に、いくつかの実施形態では、複数のスケジューリングサブフレームを第1のサブフレームセットと第2のサブフレームセットとに基地局によって分割するステップは、
複数のスケジューリング済み端末のACK／NACK情報を基地局によって取得するステップと、
複数のスケジューリング済み端末のACK／NACK情報に基づいて複数のスケジューリングサブフレームを第1のサブフレームセットと第2のサブフレームセットとに基地局によって分割するステップと
をさらに含んでもよい。
【００６１】
本発明の本実施形態では、隣接セルに関する情報を参照せず、複数のスケジューリング済み端末のACK／NACK情報に基づいて複数のスケジューリングサブフレームを第1のサブフレームセットと第2のサブフレームセットとに直接分割しており、すなわち、第1の端末のサービングセルと隣接セルとを時間同期する必要はなく、これにより、システムの柔軟性が向上する。
【００６２】
特に、本発明の本実施形態では、基地局がスケジューリングサブフレームを用いてデータを端末に送信した後、端末が基地局にスケジューリングサブフレーム中のダウンリンクデータに対するACK／NACK情報を送信してもよい。基地局によって送信されるダウンリンクデータを端末が正しく受信する場合には、端末が基地局にACK情報を送信してもよい。基地局によって送信されるダウンリンクデータを端末が正しく受信しない場合には、端末が基地局にNACK情報を送信してもよい。複数のスケジューリング済み端末のACK／NACK情報に基づいて複数のスケジューリングサブフレームを第1のサブフレームセットと第2のサブフレームセットとに基地局が分割してもよい。
【００６３】
これとは別に、いくつかの実施形態では、端末の情報であって、スケジューリングサブフレームに基づくACK／NACK情報を基地局が取得することは、特に、スケジューリングサブフレームのコードワード0上のデータに基づいて端末によって送信されるACK／NACK情報を基地局によって取得することで、複数のスケジューリングサブフレームを第1のサブフレームセットと第2のサブフレームセットとに分割するステップであってもよい。
【００６４】
これとは別に、いくつかの実施形態では、端末の情報であって、スケジューリングサブフレームに基づくACK／NACK情報を基地局が取得することは、上記とは異なり、特に、スケジューリングサブフレームのコードワード1上のデータに基づいて端末によって送信されるACK／NACK情報を基地局によって取得することで、複数のスケジューリングサブフレームを第1のサブフレームセットと第2のサブフレームセットとに分割するステップであってもよい。ただし、本発明はこれに限定されない。これとは別に、いくつかの実施形態では、複数のスケジューリング済み端末のACK／NACK情報に基づいて複数のスケジューリングサブフレームを第1のサブフレームセットと第2のサブフレームセットとに基地局によって分割するステップは、
予め設定された時間内の複数のスケジューリングサブフレームの各々に対応するACKおよびNACKの数を基地局によってカウントするステップ、および
スケジューリングサブフレームのACKの数がスケジューリングサブフレームのNACKの数以上である場合に、スケジューリングサブフレームを第1のサブフレームセットに入れるステップ、または
スケジューリングサブフレームのACKの数がスケジューリングサブフレームのNACKの数未満である場合に、スケジューリングサブフレームを第2のサブフレームセットに入れるステップ
を含んでもよい。
【００６５】
これとは別に、いくつかの実施形態では、複数のスケジューリング済み端末のACK／NACK情報に基づいて複数のスケジューリングサブフレームを第1のサブフレームセットと第2のサブフレームセットとに基地局によって分割するステップは、
複数のスケジューリング済み端末のACK／NACK情報に基づいて複数のスケジューリングサブフレームの各々のBLERに関する統計値を基地局によって収集するステップと、
複数のスケジューリングサブフレームの各々のBLERに基づいて複数のスケジューリングサブフレームを第1のサブフレームセットと第2のサブフレームセットとに基地局によって分割するステップと
をさらに含んでもよい。
【００６６】
本発明の本実施形態では、ダウンリンクデータ伝送を実行するのに、複数のスケジューリングサブフレームの各々がスケジューリング済み端末によって用いられれば、そのスケジューリングサブフレームは1つのサブフレームまたはサブフレームのグループであってもよいと当然解する。これは本発明において限定されない。各スケジューリングサブフレームがサブフレームのグループを表す場合、各スケジューリングサブフレームのBLERはサブフレームのグループのBLERであってもよい。
【００６７】
これとは別に、いくつかの実施形態では、複数のスケジューリングサブフレームの各々のBLERに基づいて複数のスケジューリングサブフレームを第1のサブフレームセットと第2のサブフレームセットとに基地局によって分割するステップは、
複数のスケジューリングサブフレームを複数のサブフレームグループに基地局によって分割するステップと、
複数のサブフレームグループでの各スケジューリングサブフレームのBLERに基づいて複数のサブフレームグループを第1のサブフレームセットと第2のサブフレームセットとに基地局によって分割するステップと
を含んでもよい。
【００６８】
特に、本発明の本実施形態では、複数のスケジューリングサブフレームをサブフレームの複数のグループに複数の手法で分割してもよい。これとは別に、一実現例では、剰余演算を行うことになるデータとして複数のスケジューリングサブフレームのフレーム番号を用いて剰余演算を基地局が行い、サブフレームのフレーム番号に剰余演算を行った後に得られる同じ値を有するサブフレームを足し合わせて1つのグループをなしてもよい。たとえば、本発明の本実施形態では、サブフレーム番号に剰余演算を行う法として長期不連続待ち受け（Discontinuous Reception、DRX）サイクルの整数倍を基地局が得てもよい。
【００６９】
特に、本発明の本実施形態では、スケジューリングサブフレームのサブフレーム番号nと、スケジューリングサブフレームが位置する無線フレームのフレーム番号Nとを基地局が取得して、剰余演算を行うことになるデータであって、スケジューリングサブフレームのデータであるデータMを、以下の式
M＝N＊10＋n
を用いて基地局が計算してもよい。
【００７０】
法として長期DRXサイクル（long DRX cycle）を基地局が用いる。たとえば、長期DRXサイクルは40msとして一般的に構成される。ここでは法として40を基地局が用いてもよい。剰余演算を行うことになるデータであって、複数のスケジューリングサブフレームの40による剰余のデータであるデータを基地局が用いることで、剰余演算の後に得られる同じ値を有するサブフレームを足し合わせてサブフレームの1つのグループをなしてもよい。
【００７１】
本発明の本実施形態では、剰余演算を行うことによって複数のスケジューリングサブフレームを複数のサブフレームグループに分割することは本発明の特定の実現例にすぎないと解するべきであり、本発明はこれに限定されない。
【００７２】
これとは別に、いくつかの実施形態では、複数のスケジューリングサブフレームの各々のBLERに関する統計値を以下の式
【数３】
2019531650.tif 000021
を用いて基地局が収集してもよく、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【００７３】
これとは別に、いくつかの実施形態では、複数のスケジューリングサブフレームのサブフレームの各グループのBLERに関する統計値を以下の式
【数４】
2019531650.tif 000022
を用いて基地局が別様に収集してもよく、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【００７４】
これとは別に、いくつかの実施形態では、複数のスケジューリングサブフレームの各々のBLERに基づいて複数のスケジューリングサブフレームを第1のサブフレームセットと第2のサブフレームセットとに基地局によって分割するステップは、
調整時期が到来するときに、調整時期前の複数のスケジューリングサブフレームの各々のBLERを基地局によって取得するステップと、
第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを基地局によって調整するステップと
を含む。
【００７５】
特に、本発明の本実施形態では、調整時期前の調整期間内に調整時期前の複数のスケジューリングサブフレームの各々のBLERに関する統計値を基地局が収集してもよく、調整時期が到来するときに、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを基地局が調整してもよい。
【００７６】
これとは別に、いくつかの実施形態では、調整時期前の調整期間内に各スケジューリングサブフレームのBLERに関する統計値を基地局が収集すれば、調整期間は基地局とデータ伝送するラージパケットユーザ端末（またはラージパケットユーザと称する）の数に関係してもよい。たとえば、本発明の本実施形態では、各サブフレームのBLERに関する統計値を収集する調整期間がラージパケットユーザの数倍の時間パラメータであってもよいと基地局が判断し、ここで、時間パラメータは320msであってもよい。第1のサブフレームセットと第2のサブフレームセットとの間の調整期間がラージパケットユーザ端末の数に関係してもよく、調整期間を以下の原則、すなわち、基地局が複数のラージパケットユーザ端末とデータ伝送を実行するとき、調整時期前に調整期間が存在する場合の各分割済みサブフレームのブロックエラーレートがより正確であるように、端末が複数のスケジューリングサブフレームに基づいて十分なACK／NACK情報を送信することが確実になる、を用いて選択してもよい。
【００７７】
これとは別に、いくつかの実施形態では、調整時期前の第1のサブフレームセットが第1のスケジューリングサブフレームを含み、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを基地局によって調整するステップは、
調整時期が到来するときに、調整時期前の第1のサブフレームセットのBLERを基地局によって取得するステップと、
調整時期前の第1のサブフレームセットのBLERが第1の閾値を超え、かつ調整時期前の第1のサブフレームセット中の第1のサブフレームのBLERが第2の閾値を超える場合、第1のサブフレームセットおよび第2のサブフレームセットを取得するために、調整時期前の第1のサブフレームセットから調整時期前の第2のサブフレームセットに第1のスケジューリングサブフレームを調整時期に基地局によって置き換えるステップと
を含む。
【００７８】
本発明の本実施形態では、調整時期が到来する前の調整期間内に、第1のサブフレームセットが第1のスケジューリングサブフレームを含んでもよいと当然解する。調整時期が到来するとき、調整時期前の調整期間内に第1のサブフレームセットのBLERを基地局が取得してもよい。
【００７９】
これとは別に、いくつかの実施形態では、複数のスケジューリングサブフレームが複数のサブフレームグループに分割されれば、第1のサブフレームセットが調整時期前の調整期間内に第1のサブフレームグループを含んでもよい。調整時期が到来するとき、基地局が第1のサブフレームグループと第1のサブフレームセットのBLERとを取得してもよい。BLERの特定の計算方法については、予め設定された時間内の各スケジューリングサブフレームのBLERの前述の計算方法を参照する。この場合、予め設定された時間は調整期間であってもよい。
【００８０】
本発明の本実施形態では、第1のサブフレームセットのBLERが、第1のサブフレームセットに含まれる複数のサブフレームグループのBLERの平均値であってもよく、第2のサブフレームセットのBLERが、第2のサブフレームセットに含まれる複数のサブフレームグループのBLERの平均値であってもよいと当然解する。当然、第1のサブフレームセットのBLERと第2のサブフレームセットのBLERとを別の実現例を用いて基地局が別様に取得してもよい。たとえば、端末によって送信されるACK／NACK情報に基づいて、調整時期前の調整期間内に第1のサブフレームセットのBLERに関する統計値を基地局が直接収集し、かつ／または調整時期前の調整期間内に第2のサブフレームセットのBLERに関する統計値を基地局が直接収集してもよい。特定の統計方法が、サブフレームの各グループのBLERに関する統計値を収集する方法と同じであってもよい。これは本発明において限定されない。
【００８１】
上述されているように、複数のスケジューリングサブフレームを第1のサブフレームセットと第2のサブフレームセットとに基地局が分割してもよく、また、複数のスケジューリングサブフレームを複数のサブフレームグループに分割してもよいと当然解する。したがって、本発明の本実施形態では、第1のサブフレームセットが複数のサブフレームグループ中のいくつかのサブフレームグループを含んでもよく、第2のサブフレームセットが複数のサブフレームグループ中のその他のサブフレームグループを含んでもよい。たとえば、本発明の本実施形態では、複数のスケジューリングサブフレームをサブフレームの40個のグループに分割して、第1のサブフレームセットがサブフレームの40個のグループ中のサブフレームの19個のグループを含み、第2のサブフレームセットがサブフレームの40個のグループ中のサブフレームのその他の21個のグループを含んでもよい。
【００８２】
特に、本発明の本実施形態では、調整時期前の調整期間内の第1のサブフレームセットのBLERが第1の閾値を超え、この第1の閾値は目標BLER＋5％であってもよく、目標BLERは基地局によって予め設定される値であってもよい。たとえば、本発明の本実施形態では、目標BLERは10％であってもよい。調整時期前の調整期間内の第1のサブフレームのBLERが第2の閾値を超え、この第2の閾値は30％であってもよいが、本発明はこれに限定されない。したがって、可能な一実現例において、本発明の本実施形態では、調整時期前の調整期間内の第1のサブフレームセットのBLERが15％を超え、かつ調整時期前の調整期間内の第1のサブフレームセット中の第1のサブフレームのBLERが30％を超えると統計値を通じて基地局が認識する場合に、調整時期前の調整期間内の第1のサブフレームセットから調整時期前の調整期間内の第2のサブフレームセットに第1のスケジューリングサブフレームを基地局が置き換えてもよい。
【００８３】
これとは別に、いくつかの実施形態では、調整時期前の調整期間内の第1のサブフレームセットのBLERが第1の閾値を超えれば、調整時期前の調整期間内のBLERが第2の閾値を超える複数の第1のサブフレームが存在してもよい。たとえば、第1のサブフレームセットには、そのBLERがすべて第2の閾値を超える4つのサブフレームが存在してもよい。この場合、BLER条件を満たす複数のサブフレームの数を基地局が限定してもよい。たとえば、第1のサブフレームセット中に、そのBLERがすべて第2の閾値を超える4つのサブフレームが存在する場合に、調整時期前の調整期間内の第1のサブフレームセットから第2のサブフレームセットにサブフレームのうちの2つのみを基地局が置き換える。特定の実現例では、上述されているように、複数のスケジューリングサブフレームを40個のサブフレームグループに分割する場合（ここで、40個のサブフレームグループを剰余演算に基づいて分割を通じて取得してもよく、サブフレームの各グループ中のサブフレームのサブフレーム番号の40による剰余を得た後に得られる値は同じである）、剰余演算後の値の大きさの順番に基づいて、BLER条件を満たす4つのサブフレームグループからサブフレームの2つのグループを基地局が決定して、第1のサブフレームセットから第2のサブフレームセットにサブフレームの2つのグループを置き換えてもよい。たとえば、剰余演算後の3、4および7の値を有する合計3つのサブフレームグループがBLER調整条件を満たせば、3および4の剰余結果値を有する2つのサブフレームグループを調整時期前の調整期間内の第1のサブフレームセットから第2のサブフレームセットに基地局が置き換えてもよい。
【００８４】
これとは別に、いくつかの実施形態では、第1のサブフレームセットに含まれるスケジューリングサブフレームの数が未満ではない（第5の閾値）。特定の実現例では、上述されているように、複数のスケジューリングサブフレームを40個のサブフレームグループに分割する場合であって（ここで、40個のサブフレームグループを剰余演算に基づいて分割を通じて取得してもよく、サブフレームの各グループ中のサブフレームのサブフレーム番号の40による剰余を得た後に得られる値は同じである）、条件を満たすサブフレームの第1のグループ中のサブフレームを第1のサブフレームから第2のサブフレームセットに基地局が置き換えるとき、第1のサブフレームセット中の残りのサブフレームグループの数が10個以上であることを確保する必要がある。第1のサブフレームセット中の残りのサブフレームグループの数が10個未満である場合、第1のサブフレームセットが、BLER調整条件を満たす第1のサブフレームグループを含んでも、条件を満たすサブフレームの第1のグループを第1のサブフレームセットから第2のサブフレームセットに置き換えることは許されない。第5の閾値を10に設定することは特定の実現例にすぎないと当然解する。本発明はこれに限定されない。
【００８５】
これとは別に、いくつかの実施形態では、調整時期前の第2のサブフレームセットが第2のスケジューリングサブフレームを含み、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを基地局によって調整するステップは、
調整時期が到来するときに、調整時期前の第2のサブフレームセットのBLERを基地局によって取得するステップと、
調整時期前の第2のサブフレームセットのBLERが第3の閾値を超え、かつ調整時期前の第2のサブフレームセット中の第2のサブフレームのBLERが第4の閾値以下である場合、第1のサブフレームセットおよび第2のサブフレームセットを取得するために、調整時期前の第2のサブフレームセットから調整時期前の第1のサブフレームセットに第2のスケジューリングサブフレームを調整時期に基地局によって置き換えるステップと
を含む。
【００８６】
本発明の本実施形態では、基地局が調整時期前の第2のサブフレームセットのBLERを取得する手法は、基地局が調整時期前の第1のサブフレームセットのBLERを取得する手法と同じであってもよいと当然解する。これは本発明において限定されない。
【００８７】
特に、本発明の本実施形態では、調整時期前の第2のサブフレームセットのBLERが第3の閾値を超え、この第3の閾値は目標BLER−5％であってもよく、目標BLERは基地局によって予め設定される値であってもよい。たとえば、本発明の本実施形態では、目標BLERは10％であってもよい。調整時期前の第2のサブフレームセット中の第2のサブフレームのBLERは第4の閾値以下であり、この第4の閾値は0であってもよいが、本発明はこれに限定されない。したがって、可能な一実現例において、本発明の本実施形態では、調整時期前の前の調整期間内の第2のサブフレームセットのBLERが5％を超え、かつ調整時期前の第2のサブフレームセット中の第2のサブフレームのBLERが0であると統計値を通じて基地局が認識する場合に、第1のサブフレームセットおよび第2のサブフレームセットを取得するために、調整時期前の第2のサブフレームセットから調整時期前の第1のサブフレームセットに第2のスケジューリングサブフレームを基地局が置き換えてもよい。
【００８８】
これとは別に、いくつかの実施形態では、調整時期前の第2のサブフレームセットのBLERが第3の閾値を超えれば、BLERが調整時期前の第2のサブフレームセット中に第4の閾値を超える複数の第2のサブフレームが存在してもよい。たとえば、調整時期前の第2のサブフレームセットには、そのBLERがすべて第4の閾値以下である4つのサブフレームが存在してもよい。この場合、BLER条件を満たす複数のスケジューリングサブフレームの数を基地局が限定してもよい。たとえば、調整時期前の第2のサブフレームセット中に、そのBLERがすべて第4の閾値以下である4つのスケジューリングサブフレームが存在する場合、調整時期前の第2のサブフレームセットから調整時期前の第1のサブフレームセットにスケジューリングサブフレームのうちの1つのみを基地局が置き換えてもよい。特定の実現例では、複数のスケジューリングサブフレームを剰余演算に基づいてサブフレームの40個のグループに基地局が分割してもよく、ここで、サブフレームの各グループにおけるサブフレーム番号の40による剰余を得た後に得られる値は同じである。剰余演算後の値の大きさの順番に基づいて、BLER条件を満たす4つのサブフレームグループから、BLERが0であるサブフレームグループを基地局が決定して、第1のサブフレームセットおよび第2のサブフレームセットを取得するために、調整時期前の第2のサブフレームセットから第1のサブフレームセットにサブフレームグループ中のスケジューリングサブフレームを置き換えてもよい。
【００８９】
これとは別に、いくつかの実施形態では、調整時期前の調整期間内において、第1のスケジューリングサブフレームまたは第2のスケジューリングサブフレームに基づいてダウンリンクデータを端末が伝送した後に端末によってフィードバックされるハイブリット自動再送要求（Hybrid Automatic Repeat reQuest、HARQ）の数は第5の閾値を超える。たとえば、第1のスケジューリングサブフレームまたは第2のスケジューリングサブフレームに基づいてダウンリンクデータを端末が伝送した後に端末によってフィードバックされるHARQの数は4を超えてもよい。特に、第1のスケジューリングサブフレームまたは第2のスケジューリングサブフレームに基づいて端末によってフィードバックされるHARQの数が4を超える場合、第1のスケジューリングサブフレームまたは第2のスケジューリングサブフレームのBLERであって、スケジューリング済み端末によってフィードバックされるACK／NACK情報に基づいて統計値を通じて基地局によって取得されるBLERは有効なBLERであってもよい。この場合、BLER条件を満たす第1のスケジューリングサブフレームまたは第2のスケジューリングサブフレームが属するセットを基地局が変更してもよい。
【００９０】
図4は、本発明の実施形態における適応変調符号化方法の特定のステップまたは動作を詳細に説明している。本発明の本実施形態では、当該ステップまたは動作は例にすぎない。本発明の本実施形態において実行することができる他の動作や図4の動作の変形例が存在してもよい。これに加えて、図4のステップを図4に示されているステップとは異なる順序で実行してもよく、図4のすべての動作を実行する必要はないと考えることができる。以下の詳細な説明は当業者が本発明の実施形態をよりよく理解するのを助けることを意図しているにすぎず、本発明の実施形態の範囲に対するなんらの限定としても解釈されるべきではないと当然解する。
【００９１】
以下、図4を参照して詳細に本発明の本実施形態における適応変調符号化方法の特定のステップを説明する。
【００９２】
S410．基地局が第1の端末を特定する。
【００９３】
本発明の本実施形態では、端末が受信する、1秒あたりに無線リンク制御（Radio Link Control、RLC）に届くデータ量に基づいて基地局が第1の端末を特定してもよい。
【００９４】
特定の実現例では、端末が受信する、1秒あたりに無線リンク制御に届くデータ量に対して予め設定された閾値を基地局が設定してもよい。端末が受信する、1秒あたりに無線リンク制御に届くデータ量が予め設定された閾値を超える場合に端末が第1の端末と特定してもよい。たとえば、本発明の本実施形態では、伝送予定データ量が0であり、かつ端末が受信する、1秒あたりに無線リンク制御に届くデータ量が1250000byteを超える場合に基地局が端末を第1の端末と特定してもよい。伝送予定データ量が0ではなく、かつ端末が受信する、1秒あたりに無線リンク制御に届くデータ量がMin｛伝送予定データ量＊1000／8byte、1250000byte｝を超える場合に基地局が端末を第1の端末と特定してもよい。したがって、第1の端末はラージパケットユーザの端末ともいえる。
【００９５】
第1の端末は、受信した、1秒あたりにRLCに届くデータ量が予め設定された閾値を超える端末であることが当然分かる。したがって、基地局と通信するとき、第1の端末は長期間オンラインであり、多数回用にスケジューリングされる。本発明の技術的解決手段に係れば、高いスループットゲインを得ることができるが、本発明はこれに限定されない。
【００９６】
さらに、本発明の本実施形態では、複数の第1の端末が存在してもよいと当然解する。
【００９７】
さらに、本発明の本実施形態では、第1の端末は、1秒あたりにRLCに届くデータ量が予め設定された閾値を超える端末に限られると当然解する。特に、所定期間内に、1秒あたりにRLCに届くデータ量が予め設定された閾値を超えるという条件を端末1が満たせば、これによって、端末1は第1の端末であってもよい。しかし、別の期間内に、1秒あたりにRLCに届くデータ量が予め設定された閾値を超えるという条件を端末1が満たさなければ、これによって、端末1は第1の端末でない。
【００９８】
S420．第1の端末によって送信されるCQIを基地局が受信する。
【００９９】
S430．基地局が複数のスケジューリングサブフレームを複数のサブフレームグループに分割する。
【０１００】
特に、剰余演算に基づいて調整期間内に複数のスケジューリングサブフレームを基地局がグループ化してもよい。特定の実現例において、本発明の本実施形態では、基地局がスケジューリングサブフレームに剰余演算を実行するのに法として40を用い、同じ剰余結果値を有するサブフレーム番号に対応するサブフレームを1グループに付加してもよく、これにより、40個のサブフレームグループを取得することができる。40個のサブフレームグループ中のサブフレームの各グループが少なくとも1つのスケジューリングサブフレームを含んでもよい。
【０１０１】
さらに、基地局が第1の端末のスケジューリングのためのサブフレームを決定した後、基地局はサブフレームのサブフレーム番号の40による剰余によって、サブフレームが属するサブフレームグループを取得することができる。特定の剰余アルゴリズムについては、前述の説明を参照する。
【０１０２】
S440．基地局がスケジューリングサブフレームを初期化する。
【０１０３】
本ステップでは、S430での分割を通じて取得される40個のサブフレームグループのすべてを第1のサブフレームセットに向けて基地局が初期化してもよい。この場合、第2のサブフレームセットは空のセットであってもよい。本発明の本実施形態では、第1のサブフレームセットを低干渉サブフレームセットとして適用することもでき、第2のサブフレームセットを高干渉サブフレームセットとして適用することもできると当然解する。
【０１０４】
本発明の本実施形態では、初期化後、複数のスケジューリングサブフレームを第1のサブフレームセットと第2のサブフレームセットとに基地局が分割し、第1のサブフレームセットと第2のサブフレームセットとは、異なるCQI調整量に対応すると当然解する。一実現例では、初期化後、第1のサブフレームセットのCQI調整量をオリジナルのCQI調整量を用いて初期化し、第2のサブフレームセットに対応するCQI調整量を0に初期化してもよい。
【０１０５】
S450．基地局がサブフレームセット中のサブフレームを調整する。
【０１０６】
本ステップでは、基地局がサブフレームセット中のサブフレームの調整期間を決定してもよく、調整期間は第1の端末の数倍の時間パラメータであってもよい。調整期間は第1の端末の数とともに変化し、第1の端末がスケジューリングサブフレームに基づいて十分なACK／NACKフィードバック情報を有することを確保することができる。たとえば、時間パラメータは320msであってもよい。基地局が1つの第1の端末とデータ伝送を実行するとき、調整期間は320msであってもよい。基地局が2つの第1の端末とデータ伝送を実行するとき、調整期間は640msであってもよい。
【０１０７】
本ステップでは、調整時期が到来する前に、各スケジューリングサブフレームに基づいて端末がデータを伝送した後、端末によってフィードバックされるACK／NACK情報に関する統計値を基地局が絶え間なく収集し、これにより、調整時期前の調整期間内の40個のサブフレームグループのBLERを取得することができ、調整時期前の調整期間内の第1のサブフレームセットおよび第2のサブフレームセットのBLERも取得することができる。各スケジューリングサブフレームのBLERの特定の計算方法は上述されている。出願書面を簡潔にするために、ここでは重ねて詳細を説明しない。
【０１０８】
本発明の本実施形態では、複数のスケジューリングサブフレームを40個のサブフレームグループに分割することは本発明の特定の実現例にすぎないと当然解する。40個のサブフレームグループの各々のBLERならびに第1のサブフレームセットおよび第2のサブフレームセットのBLERの計算方法は、各スケジューリングサブフレームのBLERの計算方法と同じであってもよい。言い換えれば、各サブフレームグループまたはサブフレームグループが位置するサブフレームセットのBLERの計算の際、スケジューリングサブフレームに基づいてサブフレームグループまたはサブフレームセット中ですべての端末によってフィードバックされるACK／NACK情報に関する統計値も収集してもよく、これにより、サブフレームグループまたはサブフレームセットのBLERが計算されて取得される。
【０１０９】
調整時期が到来するとき、第1のサブフレームセットのBLERが目標BLER＋5％を超える場合、BLERが30％を超える、第1のサブフレームセット中のサブフレームグループを第1のサブフレームセットから第2のサブフレームセットに置き換えてもよい。第2のサブフレームセットのBLERが目標BLER−5％を超える場合、BLERが0である、第2のサブフレームセット中のサブフレームグループを調整時期前の第2のサブフレームセットから第1のサブフレームセットに調整時期に置き換えてもよい。
【０１１０】
これとは別に、いくつかの実施形態では、サブフレームグループが属するサブフレームセットを変更すると判断するとき、サブフレームグループ中のサブフレームに基づいて端末がデータを伝送した後に端末によってフィードバックされるHARQの数をまず基地局が決定してもよい。サブフレームグループ中のサブフレームに基づいて端末がデータを伝送した後に端末によってフィードバックされるHARQの数が4以下である場合、サブフレームグループが属するサブフレームセットを変更することは許されない。
【０１１１】
これとは別に、いくつかの実施形態では、基地局が第1のサブフレームセット中のサブフレームグループの数をさらに限定してもよい。特定の実現例では、調整時期に、サブフレームグループが属するサブフレームセットを変更する場合、第1のサブフレームセット中のサブフレームグループの数が少なくとも10であることを基地局が指定してもよい。言い換えると、第1のサブフレームセット中のサブフレームグループの数が10未満である場合、調整時期に、第1のサブフレームセット中のサブフレームグループを第2のサブフレームセットに置き換えることを基地局が禁止してもよい。
【０１１２】
これとは別に、いくつかの実施形態では、第1のサブフレームセットから第2のサブフレームセットに置き換えられるサブフレームグループの数を基地局がさらに限定してもよい。たとえば、調整時期に、第1のサブフレームセット中でBLER条件を満たす2つのサブフレームグループのみを第2のサブフレームセットに置き換えることを基地局が許可してもよい。当然、第2のサブフレームセットから第1のサブフレームセットに置き換えられるサブフレームグループの数も基地局が限定してもよい。たとえば、調整時期に、BLER条件を満たす1つのサブフレームグループのみを第1のサブフレームセットに置き換えることを基地局が許可してもよい。
【０１１３】
S460．基地局が第1の端末のスケジューリングのためのサブフレームを調整期間内に決定する。
【０１１４】
S470．第1の端末のスケジューリングのためのサブフレームを決定した後、サブフレームが属するサブフレームセットを基地局が決定する。
【０１１５】
特に、第1の端末のスケジューリングのためのサブフレームのサブフレーム番号と、サブフレームが位置するフレームのフレーム番号とを基地局が用い、次の式、すなわちM＝10＊N＋nを用いて剰余演算を行うことになるデータを取得してもよい。
【０１１６】
40を法として剰余演算を行うことになるデータと剰余演算後に得られる値とに基づいて、サブフレームが位置するサブフレームグループを基地局が決定する。たとえば、第1の端末のスケジューリングのためのサブフレームのサブフレーム番号が9であり、サブフレームが位置するフレームのフレーム番号が9であると基地局が判断する場合、基地局が剰余演算を行った後に得られる値は19である。したがって、サブフレームは19番目のサブフレームグループ中のサブフレームであると基地局が判断することができる。
【０１１７】
サブフレームが19番目のサブフレームグループ中のサブフレームであると基地局が判断した後、19番目のサブフレームグループは現在の調整期間内の第1のサブフレームセットであると基地局が判断してもよい。サブフレームが属する19番目のサブフレームグループが現在の期間内の第2のサブフレームセットである場合もあると当然解する。これは本発明の本実施形態の説明のための本記載における例にすぎない。
【０１１８】
S480．第1の端末のスケジューリングのためのサブフレームが属するサブフレームセットに対応するCQI調整量に基づいて第1の端末によって報告されるCQIを基地局が調整する。
【０１１９】
S490．基地局が調整されたCQIに基づいて第1の端末のスケジューリングのためのMCSを決定する。
【０１２０】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１２１】
上記では、詳細に適応変調符号化の方法の実施形態を説明しているが、以下では、詳細に本発明の実施形態における適応変調符号化の基地局の実施形態を説明する。図5は本発明の実施形態に係る基地局500の概略構成図である。図5の基地局500は、受信モジュール510、第1の決定モジュール520、第2の決定モジュール530、調整モジュール540および第3の決定モジュール550を含む。
【０１２２】
受信モジュール510は、第1の端末によって送信されるチャンネル品質指標（CQI）を受信するように構成されている。
【０１２３】
第1の決定モジュール520は、第1の端末のスケジューリングのためのサブフレームを決定するように構成されている。
【０１２４】
第2の決定モジュール530は、サブフレームが属するサブフレームセットを決定するように構成されており、このサブフレームセットは第1のサブフレームセットまたは第2のサブフレームセットであり、第1のサブフレームセットと第2のサブフレームセットとは、異なるCQI調整量に対応する。
【０１２５】
調整モジュール540は、サブフレームが属するサブフレームセットに対応するCQI調整量に基づいてCQIを調整するように構成されている。
【０１２６】
第3の決定モジュール550は、調整されたCQIに基づいて第1の端末のスケジューリングのための変調符号化方式（MCS）を決定するように構成されている。
【０１２７】
この適用例では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、本発明の本実施形態では、基地局が現在のセルで低干渉サブフレームの高い信号対ノイズ比を効率的に用いることができることにより、現在のセルのダウンリンクデータの伝送効率およびスループットが改善される。
【０１２８】
これとは別に、いくつかの実施形態では、CQIは、第1の端末によって推奨されるMCSをさらに含んでもよい。
【０１２９】
これとは別に、いくつかの実施形態では、上記とは異なり、CQIとMCSとの間のマッピングの予め設定されたテーブルに基づいてMCSを基地局が取得してもよい。
【０１３０】
これとは別に、いくつかの実施形態では、基地局が第1の端末とダウンリンクデータ伝送を実行するとき、ダウンリンクデータはラージパケットユーザデータであってもよいが、本発明はこれに限定されない。本発明の本実施形態では、ラージパケットユーザが長期間オンラインであり、ダウンリンクデータ伝送中に多数回用にスケジューリングされると当然解する。したがって、本発明の本実施形態における技術的解決手段を用いてより高いスループットゲインを得ることができる。
【０１３１】
これとは別に、いくつかの実施形態では、第1のサブフレームセットおよび第2のサブフレームセットは、予め分割を通じて取得されるセットであってもよい。
【０１３２】
これとは別に、いくつかの実施形態では、第1のサブフレームセットと第2のサブフレームセットとを調整期間に基づいて分割してもよい。調整期間が到来するときに、基地局が第1のサブフレームセットおよび第2のサブフレームセットを再分割してもよい。複数のスケジューリングサブフレームを第1のサブフレームセットと第2のサブフレームセットとに基地局によって分割する方法は、方法の実施形態で詳細に説明されている。ここでは重ねて詳細を説明しない。
【０１３３】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１３４】
これとは別に、いくつかの実施形態では、本発明の本実施形態における適応変調符号化のための基地局は、
複数のスケジューリングサブフレームを第1のサブフレームセットと第2のサブフレームセットとに分割するように構成されている分割モジュール
をさらに含んでもよい。
【０１３５】
これとは別に、いくつかの実施形態では、分割モジュールが第1の端末のスケジューリングのためのサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【０１３６】
これとは別に、いくつかの実施形態では、基地局は、
複数のスケジューリング済み端末の肯定応答（ACK）／否定応答（NACK）情報を取得するように構成される取得モジュール
をさらに含んでもよい。
【０１３７】
分割モジュールは、複数のスケジューリング済み端末のACK／NACK情報に基づいて複数のスケジューリングサブフレームを第1のサブフレームセットと第2のサブフレームセットとに分割するように特に構成される。
【０１３８】
これとは別に、いくつかの実施形態では、基地局は、
複数のスケジューリング済み端末のACK／NACK情報に基づいて複数のスケジューリングサブフレームの各々のブロックエラーレート（BLER）に関する統計値を収集するように構成される統計値収集モジュール
をさらに含んでもよい。
【０１３９】
分割モジュールは、複数のスケジューリングサブフレームの各々のBLERに基づいて複数のスケジューリングサブフレームを第1のサブフレームセットと第2のサブフレームセットとに分割するように特に構成される。
【０１４０】
これとは別に、いくつかの実施形態では、統計値収集モジュールは、
複数のスケジューリングサブフレームの各々のBLERに関する統計値を以下の式
【数５】
2019531650.tif 000023
を用いて収集する
ように特に構成され、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１４１】
これとは別に、いくつかの実施形態では、統計値収集モジュールは、
複数のスケジューリングサブフレームの各々のBLERに関する統計値を以下の式
【数６】
2019531650.tif 000024
を用いて収集する
ように特に構成され、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１４２】
これとは別に、いくつかの実施形態では、基地局の取得モジュールは、
調整時期が到来するときに、調整時期前の複数のスケジューリングサブフレームの各々のBLERを取得する
ようにさらに構成される。
【０１４３】
分割モジュールは、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを調整するように特に構成される。
【０１４４】
これとは別に、いくつかの実施形態では、調整時期前の調整期間内に各スケジューリングサブフレームのBLERに関する統計値を基地局が収集すれば、調整期間は基地局とデータ伝送するラージパケットユーザの数に関係してもよい。
【０１４５】
これとは別に、いくつかの実施形態では、調整時期前の第1のサブフレームセットが第1のスケジューリングサブフレームを含み、基地局の取得モジュールは、
調整時期が到来するときに、調整時期前の第1のサブフレームセットのBLERを取得する
ようにさらに構成される。
【０１４６】
分割モジュールは、調整時期前の第1のサブフレームセットのBLERが第1の閾値を超え、かつ調整時期前の第1のサブフレームセット中の第1のサブフレームのBLERが第2の閾値を超える場合、第1のサブフレームセットおよび第2のサブフレームセットを取得するために、調整時期前の第1のサブフレームセットから調整時期前の第2のサブフレームセットに第1のスケジューリングサブフレームを調整時期に置き換えるように特に構成される。
【０１４７】
これとは別に、いくつかの実施形態では、調整時期前の第2のサブフレームセットが第2のスケジューリングサブフレームを含み、基地局の取得モジュールは、
調整時期が到来するときに、調整時期前の第2のサブフレームセットのBLERを取得する
ようにさらに構成される。
【０１４８】
分割モジュールは、調整時期前の第2のサブフレームセットのBLERが第3の閾値を超え、かつ調整時期前の第2のサブフレームセット中の第2のサブフレームのBLERが第4の閾値以下である場合、第1のサブフレームセットおよび第2のサブフレームセットを取得するために、調整時期前の第2のサブフレームセットから調整時期前の第1のサブフレームセットに第2のスケジューリングサブフレームを調整時期に置き換えるように特に構成される。
【０１４９】
図6は本発明の実施形態に係る基地局600の概略ブロック図である。図6に示されている基地局600は、受信器620を含み、この受信器620はバス640を用いてプロセッサ610に接続してもよい。受信器620はデータまたは情報を受信するように構成され、メモリ630が実行可能指示を記憶する。基地局600が動作するとき、プロセッサ610はメモリ630と通信し、プロセッサ610はメモリ630中の実行可能指示を呼び出す。
【０１５０】
受信器620は、第1の端末によって送信されるチャンネル品質指標（CQI）を受信するように構成されている。
【０１５１】
プロセッサ610は、第1の端末のスケジューリングのためのサブフレームを決定するように構成されている。
【０１５２】
プロセッサ610は、サブフレームが属するサブフレームセットを決定するようにさらに構成されており、このサブフレームセットは第1のサブフレームセットまたは第2のサブフレームセットであり、第1のサブフレームセットと第2のサブフレームセットとは、異なるCQI調整量に対応する。
【０１５３】
プロセッサ610は、サブフレームが属するサブフレームセットに対応するCQI調整量に基づいてCQIを調整するようにさらに構成されている。
【０１５４】
プロセッサ610は、調整されたCQIに基づいて第1の端末のスケジューリングのための変調符号化方式（MCS）を決定するようにさらに構成されている。
【０１５５】
この適用例では、基地局が第1の端末のスケジューリングのためのサブフレームを決定した後、サブフレームが属するサブフレームセットを基地局が決定してもよく、このサブフレームセットは第1のサブフレームセットまたは第2のサブフレームセットであってもよく、その後、サブフレームセットに対応するCQI調整量に基づいて、第1の端末によって送信されるCQIを基地局が調整する。このように、先行技術における1セットのCQI調整量のみを用いることに起因する低干渉サブフレームの高い信号対ノイズ比の浪費が回避される。したがって、本発明の本実施形態では、基地局が現在のセルで低干渉サブフレームの高い信号対ノイズ比を効率的に用いることができることにより、現在のセルのダウンリンクデータの伝送効率およびスループットが改善される。
【０１５６】
これとは別に、いくつかの実施形態では、CQIは、第1の端末によって推奨されるMCSをさらに含んでもよい。
【０１５７】
これとは別に、いくつかの実施形態では、上記とは異なり、CQIとMCSとの間のマッピングの予め設定されたテーブルに基づいてMCSを基地局が取得してもよい。
【０１５８】
これとは別に、いくつかの実施形態では、基地局が第1の端末とダウンリンクデータ伝送を実行するとき、ダウンリンクデータはラージパケットユーザデータであってもよいが、本発明はこれに限定されない。本発明の本実施形態では、ラージパケットユーザが長期間オンラインであり、ダウンリンクデータ伝送中に多数回用にスケジューリングされると当然解する。したがって、本発明の本実施形態における技術的解決手段を用いてより高いスループットゲインを得ることができる。
【０１５９】
これとは別に、いくつかの実施形態では、第1のサブフレームセットおよび第2のサブフレームセットは、予め分割を通じて取得されるセットであってもよい。
【０１６０】
これとは別に、いくつかの実施形態では、第1のサブフレームセットと第2のサブフレームセットとを調整期間に基づいて分割してもよい。調整期間が到来するときに、基地局が第1のサブフレームセットおよび第2のサブフレームセットを再分割してもよい。複数のスケジューリングサブフレームを第1のサブフレームセットと第2のサブフレームセットとに基地局によって分割する方法は、方法の実施形態で詳細に説明されている。ここでは重ねて詳細を説明しない。
【０１６１】
これとは別に、いくつかの実施形態では、第1の端末のスケジューリングのためのサブフレームに基づいて第1の端末によって送信されるACK／NACK情報に基づいて、第1の端末のスケジューリングのためのサブフレームが属するサブフレームセットに対応するCQI調整量を基地局が調整してもよい。
【０１６２】
これとは別に、いくつかの実施形態では、プロセッサ610は、
複数のスケジューリングサブフレームを第1のサブフレームセットと第2のサブフレームセットとに分割する
ように構成される。
【０１６３】
これとは別に、いくつかの実施形態では、プロセッサ610が第1の端末のスケジューリングのためのサービングセルの隣接セルでのサブフレームのデータベアラ状態に基づいてサービングセルでの複数のスケジューリングサブフレームを第1のサブフレームセットと第2のサブフレームセットとに分割してもよい。これの代わりに、基地局がサービングセルに対する隣接セルでの各サブフレームの干渉のレベルに基づいてサービングセルでの複数のスケジューリングサブフレームを第1のサブフレームセットと第2のサブフレームセットとに分割してもよい。
【０１６４】
これとは別に、いくつかの実施形態では、プロセッサ610は、複数のスケジューリング済み端末の肯定応答（ACK）／否定応答（NACK）情報を取得し、複数のスケジューリング済み端末のACK／NACK情報に基づいて複数のスケジューリングサブフレームを第1のサブフレームセットと第2のサブフレームセットとに分割するようにさらに構成される。
【０１６５】
これとは別に、いくつかの実施形態では、プロセッサ610は、複数のスケジューリング済み端末のACK／NACK情報に基づいて複数のスケジューリングサブフレームの各々のブロックエラーレート（BLER）に関する統計値を収集し、複数のスケジューリングサブフレームの各々のBLERに基づいて複数のスケジューリングサブフレームを第1のサブフレームセットと第2のサブフレームセットとに分割するようにさらに構成される。
【０１６６】
これとは別に、いくつかの実施形態では、プロセッサ610は、複数のスケジューリングサブフレームの各々のBLERに関する統計値を以下の式
【数７】
2019531650.tif 000025
を用いて収集してもよく、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１６７】
これとは別に、いくつかの実施形態では、プロセッサ610は、複数のスケジューリングサブフレームの各々のBLERに関する統計値を以下の式
【数８】
2019531650.tif 000026
を用いて収集してもよく、
ここで、BLER（i）は予め設定された時間内の複数のスケジューリングサブフレーム中の第iのサブフレームのBLERを表し、NNACK（i）は、第iのサブフレーム中で伝送されるダウンリンクデータに基づいて予め設定された時間内に端末によってフィードバックされるNACKの数を表し、NACK（i）は、第iのサブフレーム中で伝送されるダウンリンクデータに基づいて予め設定された時間内に端末によってフィードバックされるACKの数を表し、NDTX（i）は、信号が予め設定された時間内に第iのサブフレーム中で端末によって送信されないという不連続伝送（DTX）状態の数を表す。
【０１６８】
これとは別に、いくつかの実施形態では、プロセッサ610は、調整時期が到来するときに、調整時期前の複数のスケジューリングサブフレームの各々のBLERを取得し、第1のサブフレームセットおよび第2のサブフレームセットを取得するために、調整時期前の複数のスケジューリングサブフレームの各々のBLERに基づいて調整時期前の第1のサブフレームセットおよび第2のサブフレームセット中のサブフレームを調整するようにさらに構成される。
【０１６９】
これとは別に、いくつかの実施形態では、調整時期前の調整期間内に各スケジューリングサブフレームのBLERに関する統計値を基地局が収集すれば、調整期間は基地局とデータ伝送するラージパケットユーザの数に関係してもよい。
【０１７０】
これとは別に、いくつかの実施形態では、調整時期前の第1のサブフレームセットが第1のスケジューリングサブフレームを含み、プロセッサ610は、
調整時期が到来するときに、調整時期前の第1のサブフレームセットのBLERを取得し、
調整時期前の第1のサブフレームセットのBLERが第1の閾値を超え、かつ調整時期前の第1のサブフレームセット中の第1のサブフレームのBLERが第2の閾値を超える場合、第1のサブフレームセットおよび第2のサブフレームセットを取得するために、調整時期前の第1のサブフレームセットから調整時期前の第2のサブフレームセットに第1のスケジューリングサブフレームを調整時期に置き換える
ようにさらに構成される。
【０１７１】
これとは別に、いくつかの実施形態では、調整時期前の第2のサブフレームセットが第2のスケジューリングサブフレームを含み、プロセッサ610は、
調整時期が到来するときに、調整時期前の第2のサブフレームセットのBLERを取得し、
調整時期前の第2のサブフレームセットのBLERが第3の閾値を超え、かつ調整時期前の第2のサブフレームセット中の第2のサブフレームのBLERが第4の閾値以下である場合、第1のサブフレームセットおよび第2のサブフレームセットを取得するために、調整時期前の第2のサブフレームセットから調整時期前の第1のサブフレームセットに第2のスケジューリングサブフレームを調整時期に置き換える
ようにさらに構成される。
【０１７２】
当業者であれば、この明細書に開示されている実施形態に記載されている例と考えあわせて、ユニットおよびアルゴリズムステップが電子ハードウェアまたはコンピュータソフトウェアと電子ハードウェアとの組み合わせによって実行し得ることに想到する。機能がハードウェアまたはソフトウェアによって実行されるか否かは、特定のアプリケーションおよび技術的解決手段の設計制約条件に依存する。その際の用途毎に説明されている機能を実施するのに異なる方法を当業者は用いることができるが、実施が本発明の範囲を越えると考えるべきではない。
【０１７３】
便宜的かつ簡潔に説明するために、前述のシステム、装置およびユニットの詳細な動作プロセスについては、前述の方法の実施形態における対応するプロセスを参照してもよいことは当業者によって明確に理解されると考えられ、ここでは重ねて詳細を説明しない。
【０１７４】
本出願において提供されているいくつかの実施形態では、開示されているシステム、装置および方法を他の手法で実施してもよいと解するべきである。たとえば、説明されている装置の実施形態は例にすぎない。たとえば、ユニットの分割は論理的機能の分割にすぎず、実際の実現例ではその他の分割であってもよい。たとえば、複数のユニットまたは構成要素を組み合わせたり別のシステムに組み入れたりしてもよいし、いくつかの特徴を省略してもよいし、実行しなくてもよい。これに加えて、表示されたり説明されたりしている相互連結または直接連結または通信接続をいくつかのインタフェースを用いて実施してもよい。装置またはユニット間の間接的連結または通信接続を電気的、機械的または他の形態で実施してもよい。
【０１７５】
別体の部分として説明されているユニットを物理的に分離してもよいし、しなくてもよし、また、ユニットとして表示されている部分は物理的なユニットであってもよいし、でなくてもよいし、1つの位置に位置してもよいし、複数のネットワークユニットに分散してもよい。実際の要求に基づいて、ユニットのいくつかまたはすべてを選択して、実施形態の解決手段の目的を達成してもよい。
【０１７６】
これに加えて、本発明の実施形態における機能ユニットを1つの処理ユニットに統合してもよいし、ユニットの各々が物理的に単独で存在してもよいし、あるいは、2つ以上のユニットが1つのユニットに統合される。
【０１７７】
機能がソフトウェア機能ユニットの形態で実施されて独立した製品として販売または使用される場合、機能をコンピュータ可読記憶媒体に記憶してもよい。このような理解に基づけば、実質的に本発明の技術的解決手段または先行技術に貢献している部分または技術的解決手段のいくつかをソフトウェア製品の形態で実施してもよい。コンピュータソフトウェア製品は記憶媒体に記憶され、本発明の実施形態で説明されている方法のステップのすべてまたはいくつかを実行するようにコンピュータデバイス（パーソナルコンピュータ、サーバ、ネットワークデバイスなどであってもよい）に指示するいくつかの指示を含む。前述の記憶媒体は、USBフラッシュドライブ、リムーバブルハードディスク、読出し専用メモリ（ROM、Read-Only Memory）、ランダムアクセスメモリ（RAM、Random Access Memory）、磁気ディスクまたは光ディスクなどの、プログラムコードを記憶することができる任意の媒体を含む。
【０１７８】
前述の説明は本発明の特定の実現例にすぎず、本発明の保護範囲を限定することを意図しない。本発明において開示されている技術的範囲の当業者によって容易に理解されるいずれの変形または置換も本発明の保護範囲に含まれる。したがって、本発明の保護範囲は請求項の保護範囲の対象になる。
【符号の説明】
【０１７９】
100  無線通信システム
110  ネットワークデバイス
120  端末
500  基地局
510  受信モジュール
520  第1の決定モジュール
530  第2の決定モジュール
540  調整モジュール
550  第3の決定モジュール
600  基地局
610  プロセッサ
620  受信器
630  メモリ
640  バス
【手続補正２】
【補正対象書類名】特許請求の範囲
【補正対象項目名】全文
【補正方法】変更
【補正の内容】
【特許請求の範囲】
【請求項１】
適応変調符号化方法であって、
基地局により、第1の端末によって送信されるチャンネル品質指標（CQI）を受信するステップと、
前記基地局により、前記第1の端末のスケジューリングのためのサブフレームを決定するステップと、
前記基地局により、前記サブフレームが属するサブフレームセットを決定するステップであって、前記サブフレームセットは第1のサブフレームセットまたは第2のサブフレームセットであり、前記第1のサブフレームセットと前記第2のサブフレームセットとは、異なるCQI調整量に対応する、ステップと、
前記基地局により、前記サブフレームが属する前記サブフレームセットに対応するCQI調整量に基づいて前記CQIを調整するステップと、
前記基地局により、調整されたCQIに基づいて前記第1の端末のスケジューリングのための変調符号化方式（MCS）を決定するステップと
を有する方法。
【請求項２】
前記基地局により、複数のスケジューリングサブフレームを前記第1のサブフレームセットと前記第2のサブフレームセットとに分割するステップ
をさらに有する、請求項1に記載の方法。
【請求項３】
前記基地局により、複数のスケジューリングサブフレームを前記第1のサブフレームセットと前記第2のサブフレームセットとに分割する前記ステップは、
前記基地局により、端末のスケジューリングのための複数の肯定応答（ACK）／否定応答（NACK）情報を取得するステップと、
前記基地局により、複数のスケジューリング済み端末の前記ACK／NACK情報に基づいて前記複数のスケジューリングサブフレームを前記第1のサブフレームセットと前記第2のサブフレームセットとに分割するステップと
を含む、請求項2に記載の方法。
【請求項４】
前記基地局により、複数のスケジューリング済み端末の前記ACK／NACK情報に基づいて前記複数のスケジューリングサブフレームを前記第1のサブフレームセットと前記第2のサブフレームセットとに分割する前記ステップは、
前記基地局により、前記複数のスケジューリング済み端末の前記ACK／NACK情報に基づいて前記複数のスケジューリングサブフレームの各々のブロックエラーレート（BLER）に関する統計値を収集するステップと、
前記基地局により、前記複数のスケジューリングサブフレームの各々の前記BLERに基づいて前記複数のスケジューリングサブフレームを前記第1のサブフレームセットと前記第2のサブフレームセットとに分割するステップと
を含む、請求項3に記載の方法。
【請求項５】
前記基地局により、前記複数のスケジューリングサブフレームの各々の前記BLERに基づいて前記複数のスケジューリングサブフレームを前記第1のサブフレームセットと前記第2のサブフレームセットとに分割する前記ステップは、
調整時期が到来するときに、前記基地局により、前記調整時期前の前記複数のスケジューリングサブフレームの各々のBLERを取得するステップと、
前記基地局により、前記第1のサブフレームセットおよび前記第2のサブフレームセットを取得するために、前記調整時期前の前記複数のスケジューリングサブフレームの各々の前記BLERに基づいて前記調整時期前の第1のサブフレームセットおよび第2のサブフレームセット中のサブフレームを調整するステップと
を含む、請求項4に記載の方法。
【請求項６】
前記調整時期前の前記第1のサブフレームセットは第1のスケジューリングサブフレームを含み、
前記基地局により、前記第1のサブフレームセットおよび前記第2のサブフレームセットを取得するために、前記調整時期前の前記複数のスケジューリングサブフレームの各々の前記BLERに基づいて前記調整時期前の第1のサブフレームセットおよび第2のサブフレームセット中のサブフレームを調整する前記ステップは、
前記調整時期が到来するときに、前記基地局により、前記調整時期前の前記第1のサブフレームセットのBLERを取得するステップと、
前記調整時期前の前記第1のサブフレームセットの前記BLERが第1の閾値を超え、かつ前記調整時期前の前記第1のサブフレームセット中の第1のサブフレームのBLERが第2の閾値を超える場合、前記基地局により、前記第1のサブフレームセットおよび前記第2のサブフレームセットを取得するために、前記調整時期に、前記第1のスケジューリングサブフレームを前記調整時期前の前記第1のサブフレームセットから前記調整時期前の前記第2のサブフレームセットに置き換えるステップと
を含む、請求項5に記載の方法。
【請求項７】
前記調整時期前の前記第2のサブフレームセットは第2のスケジューリングサブフレームを含み、
前記基地局により、前記第1のサブフレームセットおよび前記第2のサブフレームセットを取得するために、前記調整時期前の前記複数のスケジューリングサブフレームの各々の前記BLERに基づいて前記調整時期前の第1のサブフレームセットおよび第2のサブフレームセット中のサブフレームを調整する前記ステップは、
前記調整時期が到来するときに、前記基地局により、前記調整時期前の前記第2のサブフレームセットのBLERを取得するステップと、
前記調整時期前の前記第2のサブフレームセットの前記BLERが第3の閾値を超え、かつ前記調整時期前の前記第2のサブフレームセット中の第2のサブフレームのBLERが第4の閾値以下である場合、前記基地局により、前記第1のサブフレームセットおよび前記第2のサブフレームセットを取得するために、前記調整時期に、前記第2のスケジューリングサブフレームを前記調整時期前の前記第2のサブフレームセットから前記調整時期前の前記第1のサブフレームセットに置き換えるステップと
を含む、請求項6に記載の方法。
【請求項８】
前記基地局により、前記複数のスケジューリング済み端末の前記ACK／NACK情報に基づいて前記複数のスケジューリングサブフレームの各々のブロックエラーレート（BLER）に関する統計値を収集する前記ステップは、
前記基地局により、前記複数のスケジューリングサブフレームの各々の前記BLERに関する統計値を以下の式
【数１】
2019531650.tif 000027
を用いて収集するステップであって、
BLER（i）は、予め設定された時間内の前記複数のスケジューリングサブフレーム中の第iのサブフレームのBLERを表し、NNACK（i）は、前記第iのサブフレーム中で伝送されるダウンリンクデータに基づいて前記予め設定された時間内に端末によってフィードバックされるNACKの数を表し、NACK（i）は、前記第iのサブフレーム中で伝送される前記ダウンリンクデータに基づいて前記予め設定された時間内に前記端末によってフィードバックされるACKの数を表し、NDTX（i）は、信号が前記予め設定された時間内に前記第iのサブフレーム中で前記端末によって送信されないという不連続伝送（DTX）状態の数を表す、ステップ
を含む、請求項4から7のいずれか一項に記載の方法。
【請求項９】
前記第1の端末は、受信した、1秒あたりに無線リンク制御（RLC）に届くデータ量が予め設定された閾値を超える端末である、請求項1から8のいずれか一項に記載の方法。
【請求項１０】
第1の端末によって送信されるチャンネル品質指標（CQI）を受信するように構成される受信モジュールと、
前記第1の端末のスケジューリングのためのサブフレームを決定するように構成される第1の決定モジュールと、
前記サブフレームが属するサブフレームセットを決定するように構成される第2の決定モジュールであって、前記サブフレームセットは第1のサブフレームセットまたは第2のサブフレームセットであり、前記第1のサブフレームセットと前記第2のサブフレームセットとは、異なるCQI調整量に対応する、第2の決定モジュールと、
前記サブフレームが属する前記サブフレームセットに対応するCQI調整量に基づいて前記CQIを調整するように構成される調整モジュールと、
調整されたCQIに基づいて前記第1の端末のスケジューリングのための変調符号化方式（MCS）を決定するように構成される第3の決定モジュールと
を備える基地局。
【請求項１１】
複数のスケジューリングサブフレームを前記第1のサブフレームセットと前記第2のサブフレームセットとに分割するように構成される分割モジュール
をさらに備える、請求項10に記載の基地局。
【請求項１２】
複数のスケジューリング済み端末の肯定応答（ACK）／否定応答（NACK）情報を取得するように構成される取得モジュール
をさらに備え、
前記分割モジュールは、前記複数のスケジューリング済み端末の前記ACK／NACK情報に基づいて前記複数のスケジューリングサブフレームを前記第1のサブフレームセットと前記第2のサブフレームセットとに分割するように構成される、請求項11に記載の基地局。
【請求項１３】
前記複数のスケジューリング済み端末の前記ACK／NACK情報に基づいて前記複数のスケジューリングサブフレームの各々のブロックエラーレート（BLER）に関する統計値を収集するように構成される統計値収集モジュール
をさらに備え、
前記分割モジュールは、前記複数のスケジューリングサブフレームの各々の前記BLERに基づいて前記複数のスケジューリングサブフレームを前記第1のサブフレームセットと前記第2のサブフレームセットとに分割するように構成される、請求項12に記載の基地局。
【請求項１４】
前記取得モジュールは、調整時期が到来するときに、前記調整時期前の前記複数のスケジューリングサブフレームの各々のBLERを取得するようにさらに構成され、
前記分割モジュールは、前記第1のサブフレームセットおよび前記第2のサブフレームセットを取得するために、前記調整時期前の前記複数のスケジューリングサブフレームの各々の前記BLERに基づいて前記調整時期前の第1のサブフレームセットおよび第2のサブフレームセット中のサブフレームを調整するように構成される、請求項13に記載の基地局。
【請求項１５】
前記調整時期前の前記第1のサブフレームセットは第1のスケジューリングサブフレームを含み、
前記取得モジュールは、前記調整時期が到来するときに、前記調整時期前の前記第1のサブフレームセットのBLERを取得するようにさらに構成され、
前記分割モジュールは、前記調整時期前の前記第1のサブフレームセットの前記BLERが第1の閾値を超え、かつ前記調整時期前の前記第1のサブフレームセット中の第1のサブフレームのBLERが第2の閾値を超える場合、前記第1のサブフレームセットおよび前記第2のサブフレームセットを取得するために、前記調整時期に、前記第1のスケジューリングサブフレームを前記調整時期前の前記第1のサブフレームセットから前記調整時期前の前記第2のサブフレームセットに置き換えるように構成される、請求項14に記載の基地局。
【請求項１６】
前記調整時期前の前記第2のサブフレームセットは第2のスケジューリングサブフレームを含み、
前記取得モジュールは、前記調整時期が到来するときに、前記調整時期前の前記第2のサブフレームセットのBLERを取得するようにさらに構成され、
前記分割モジュールは、前記調整時期前の前記第2のサブフレームセットの前記BLERが第3の閾値を超え、かつ前記調整時期前の前記第2のサブフレームセット中の第2のサブフレームのBLERが第4の閾値以下である場合、前記第1のサブフレームセットおよび前記第2のサブフレームセットを取得するために、前記調整時期に、前記第2のスケジューリングサブフレームを前記調整時期前の前記第2のサブフレームセットから前記調整時期前の前記第1のサブフレームセットに置き換えるように構成される、請求項15に記載の基地局。
【請求項１７】
前記統計値収集モジュールは、
前記複数のスケジューリングサブフレームの各々の前記BLERに関する統計値を以下の式
【数２】
2019531650.tif 000028
を用いて収集するように構成され、
BLER（i）は、予め設定された時間内の前記複数のスケジューリングサブフレーム中の第iのサブフレームのBLERを表し、NNACK（i）は、前記第iのサブフレーム中で伝送されるダウンリンクデータに基づいて前記予め設定された時間内に端末によってフィードバックされるNACKの数を表し、NACK（i）は、前記第iのサブフレーム中で伝送される前記ダウンリンクデータに基づいて前記予め設定された時間内に前記端末によってフィードバックされるACKの数を表し、NDTX（i）は、信号が前記予め設定された時間内に前記第iのサブフレーム中で前記端末によって送信されないという不連続伝送（DTX）状態の数を表す、請求項13から16のいずれか一項に記載の基地局。
【請求項１８】
前記第1の端末は、受信した、1秒あたりに無線リンク制御（RLC）に届くデータ量が予め設定された閾値を超える端末である、請求項10から17のいずれか一項に記載の基地局。
【請求項１９】
プログラムコードを記録したコンピュータ読み取り可能な記録媒体であって、
前記プログラムコードは、請求項1から9のいずれか一項に記載の方法を実行するための命令を含む、コンピュータ読み取り可能な記録媒体。
【国際調査報告】
2019531650.tif 000029
2019531650.tif 000030
2019531650.tif 000031
2019531650.tif 000032